(57)【特許請求の範囲】
【請求項１】
ワイヤレス通信のための方法であって、前記方法は、
ユーザ機器（ＵＥ）によって、第１の無線アクセス技術（ＲＡＴ）を使用する受信された通信に関連する電力パラメータを測定することと、
前記ＵＥによって、前記第１のＲＡＴを使用する前記受信された通信に関連する品質パラメータを測定することと、前記品質パラメータは、前記電力パラメータとは異なり、
前記ＵＥによって、変更された電力パラメータを形成するために前記電力パラメータにオフセットを適用することと、前記オフセットは、前記ＵＥに関連する電力利得または前記品質パラメータのうちの少なくとも１つに基づいて決定され、
前記ＵＥによって、前記変更された電力パラメータが報告しきい値を満たすかどうかを決定することと、
前記ＵＥによって、および前記変更された電力パラメータが前記報告しきい値を満たすとの決定に少なくとも部分的に基づいて、前記変更された電力パラメータを含む測定報告を送信することと
を備える、方法。
【請求項２】
前記電力パラメータが基準信号受信電力（ＲＳＲＰ）を備える、請求項１に記載の方法。
【請求項３】
前記品質パラメータは、基準信号受信品質（ＲＳＲＱ）またはブロックエラーレート（ＢＬＥＲ）を備える、請求項１に記載の方法。
【請求項４】
前記品質パラメータに基づいて前記オフセットを決定すること
をさらに備える、請求項１に記載の方法。
【請求項５】
前記オフセットの前記適用は、前記電力利得が電力利得しきい値を満たすと決定することにさらに基づき、前記方法は、
前記ＵＥによって、前記電力利得を決定することと、
前記ＵＥによって、前記電力利得が前記電力利得しきい値を満たすと決定することと、
前記電力利得が前記電力利得しきい値を満たすと前記決定することに基づいて、前記電力利得に基づいて前記オフセットを決定することと
をさらに備える、請求項１に記載の方法。
【請求項６】
変更された電力パラメータを形成するために前記電力パラメータに前記オフセットを前記適用することは、
前記品質パラメータが品質しきい値を満たすと決定することと、
前記品質パラメータが前記品質しきい値を満たすとき、前記電力パラメータに前記オフセットを適用することと
を備える、請求項１に記載の方法。
【請求項７】
前記電力パラメータに前記オフセットを前記適用することは、第２の品質パラメータが第２の品質しきい値を満たすと決定することにさらに基づき、前記方法は、
前記第２の品質パラメータが前記第２の品質しきい値を満たすと決定すること
をさらに備える、請求項６に記載の方法。
【請求項８】
前記測定報告は、ネイバー基地局へのハンドオーバに関連してサービング基地局に送信され、前記方法は、
前記サービング基地局から前記通信を受信すること、前記サービング基地局が前記第１のＲＡＴに関連し、前記ネイバー基地局が第２のＲＡＴに関連する、をさらに備える、請求項１に記載の方法。
【請求項９】
前記第１のＲＡＴが前記第２のＲＡＴとは異なる、請求項８に記載の方法。
【請求項１０】
ワイヤレス通信のための装置であって、
前記装置によって、第１の無線アクセス技術（ＲＡＴ）を使用する受信された通信に関連する電力パラメータを測定するための手段と、
前記装置によって、前記第１のＲＡＴを使用する前記受信された通信に関連する品質パラメータを測定するための手段と、前記品質パラメータは、前記電力パラメータとは異なり、
前記装置によって、変更された電力パラメータを形成するために前記電力パラメータにオフセットを適用するための手段と、前記オフセットは、前記装置に関連する電力利得または前記品質パラメータのうちの少なくとも１つに基づいて決定され、
前記装置によって、前記変更された電力パラメータが報告しきい値を満たすかどうかを決定するための手段と、
前記装置によって、および前記変更された電力パラメータが前記報告しきい値を満たすとの決定に少なくとも部分的に基づいて、前記変更された電力パラメータを含む測定報告を送信するための手段と
を備える、装置。
【請求項１１】
前記電力パラメータが基準信号受信電力（ＲＳＲＰ）を備える、請求項１０に記載の装置。
【請求項１２】
前記品質パラメータは、基準信号受信品質（ＲＳＲＱ）またはブロックエラーレート（ＢＬＥＲ）を備える、請求項１０に記載の装置。
【請求項１３】
前記オフセットを適用するための前記手段は、前記品質パラメータに基づいて前記オフセットを決定するように構成される、請求項１０に記載の装置。
【請求項１４】
前記オフセットを適用するための前記手段は、
前記電力利得を決定することと、
前記電力利得が電力利得しきい値を満たすと決定することと、
前記電力利得が前記電力利得しきい値を満たすとの前記決定に基づいて、前記オフセットを適用することと
を行うように構成される、請求項１０に記載の装置。
【請求項１５】
変更された電力パラメータを形成するために前記電力パラメータに前記オフセットを適用するための前記手段は、
前記品質パラメータが品質しきい値を満たすと決定することと、
前記品質パラメータが前記品質しきい値を満たすとき、前記電力パラメータに前記オフセットを適用することと
を行うように構成された、請求項１０に記載の装置。
【請求項１６】
前記電力パラメータに前記オフセットを適用するための前記手段は、
第２の品質パラメータが第２の品質しきい値を満たすと決定することと、
前記第２の品質パラメータが前記第２の品質しきい値を満たすとの前記決定に基づいて、前記オフセットを適用することと
を行うようにさらに構成される、請求項１５に記載の装置。
【請求項１７】
前記測定報告は、ネイバー基地局へのハンドオーバに関連してサービング基地局に送信され、前記装置は、
前記サービング基地局から前記通信を受信するための手段、前記サービング基地局が前記第１のＲＡＴに関連し、前記ネイバー基地局が第２のＲＡＴに関連する、
をさらに備える、請求項１０に記載の装置。
【請求項１８】
前記第１のＲＡＴが前記第２のＲＡＴとは異なる、請求項１７に記載の装置。
【請求項１９】
ワイヤレス通信のための装置であって、
メモリと、
前記メモリに結合された少なくとも１つのプロセッサと
を備え、前記少なくとも１つのプロセッサは、
第１の無線アクセス技術（ＲＡＴ）を使用する受信された通信に関連する電力パラメータを測定することと、
前記第１のＲＡＴを使用する前記受信された通信に関連する品質パラメータを測定することと、前記品質パラメータは、前記電力パラメータとは異なり、
変更された電力パラメータを形成するために前記電力パラメータにオフセットを適用することと、前記オフセットは、前記装置に関連する電力利得または前記品質パラメータのうちの少なくとも１つに基づいて決定され、
前記変更された電力パラメータが報告しきい値を満たすかどうかを決定することと、
前記変更された電力パラメータが前記報告しきい値を満たすとの決定に少なくとも部分的に基づいて、前記変更された電力パラメータを含む測定報告を送信することと
を行うように構成された、装置。
【請求項２０】
前記電力パラメータが基準信号受信電力（ＲＳＲＰ）を備える、請求項１９に記載の装置。
【請求項２１】
前記品質パラメータは、基準信号受信品質（ＲＳＲＱ）またはブロックエラーレート（ＢＬＥＲ）を備える、請求項１９に記載の装置。
【請求項２２】
前記少なくとも１つのプロセッサは、前記品質パラメータに基づいて前記オフセットを決定するようにさらに構成された、請求項１９に記載の装置。
【請求項２３】
前記少なくとも１つのプロセッサは、前記電力利得が電力利得しきい値を満たすとの決定にさらに基づいて、前記オフセットを適用するように構成され、前記少なくとも１つのプロセッサは、
前記電力利得を決定することと、
前記電力利得が前記電力利得しきい値を満たすと決定することと、
前記電力利得が前記電力利得しきい値を満たすとの前記決定に基づいて、前記電力利得に基づいて前記オフセットを決定することと
を行うようにさらに構成された、請求項１９に記載の装置。
【請求項２４】
前記少なくとも１つのプロセッサは、
前記品質パラメータが品質しきい値を満たすと決定することと、
前記品質パラメータが前記品質しきい値を満たすとき、前記電力パラメータに前記オフセットを適用することと
によって、変更された電力パラメータを形成するために前記電力パラメータに前記オフセットを適用するように構成された、請求項１９に記載の装置。
【請求項２５】
前記少なくとも１つのプロセッサは、第２の品質パラメータが第２の品質しきい値を満たすとの決定にさらに基づいて、前記電力パラメータに前記オフセットを適用するように構成され、前記少なくとも１つのプロセッサは、前記第２の品質パラメータが前記第２の品質しきい値を満たすと決定するようにさらに構成された、請求項２４に記載の装置。
【請求項２６】
前記測定報告は、ネイバー基地局へのハンドオーバに関連してサービング基地局に送信され、前記少なくとも１つのプロセッサは、前記サービング基地局から前記通信を受信するようにさらに構成され、ここにおいて、前記サービング基地局が前記第１のＲＡＴに関連し、前記ネイバー基地局が第２のＲＡＴに関連する、請求項１９に記載の装置。
【請求項２７】
ワイヤレス通信のためのコンピュータ実行可能コードを記憶する非一時的コンピュータ可読媒体であって、
ユーザ機器（ＵＥ）によって、第１の無線アクセス技術（ＲＡＴ）を使用する受信された通信に関連する電力パラメータを測定することと、
前記ＵＥによって、前記第１のＲＡＴを使用する前記受信された通信に関連する品質パラメータを測定することと、前記品質パラメータは、前記電力パラメータとは異なり、
前記ＵＥによって、変更された電力パラメータを形成するために前記電力パラメータにオフセットを適用することと、前記オフセットは、前記ＵＥに関連する電力利得または前記品質パラメータのうちの少なくとも１つに基づいて決定され、
前記ＵＥによって、前記変更された電力パラメータが報告しきい値を満たすかどうかを決定することと、
前記ＵＥによって、および前記変更された電力パラメータが前記報告しきい値を満たすとの決定に少なくとも部分的に基づいて、前記変更された電力パラメータを含む測定報告を送信することと
を行うためのコードを備える、非一時的コンピュータ可読媒体。
【発明の詳細な説明】
【技術分野】
【０００１】
関連出願の相互参照
[0001]本出願は、それらの全体が参照により本明細書に明確に組み込まれる、２０１４年１１月２６日に出願された「Techniques for Managing Inter-Radio Access Technology Handovers for High Gain User Equipment」と題する米国仮出願第６２／０８５，１６７号、および２０１５年１１月２３日に出願された「Techniques for Managing Inter-Radio Access Technology Handovers for High Gain User Equipment」と題する米国出願第１４／９４９，３１９号の利益を主張する。
【０００２】
[0002]本開示は、一般に通信システムに関し、より詳細には、高利得ユーザ機器（high gain user equipmen）のための無線アクセス技術間ハンドオーバ（inter-radio access technology handovers）を管理するための技法に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサル・モバイル通信システム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善に対する要求が存在する。好ましくは、これらの改善は、他の多元接続技術と、これらの技術を採用する電気通信規格とに適用可能であるべきである。
【発明の概要】
【０００５】
[0005]本開示は、たとえば、高利得ユーザ機器のための無線アクセス技術間ハンドオーバを管理するための技法に関する。一例では、本技法は、メモリと、メモリに結合され、第１の無線アクセス技術（ＲＡＴ）を使用する通信に関連する電力パラメータを決定するように構成された、少なくとも１つのプロセッサとを含み得る装置について説明される。少なくとも１つのプロセッサは、第１のＲＡＴを使用する通信に関連する品質パラメータを決定するようにさらに構成され得る。少なくとも１つのプロセッサは、品質パラメータに基づいて、変更された電力パラメータ（modified power parameter）を形成するために電力パラメータにオフセットを適用するようにさらに構成され得る。少なくとも１つのプロセッサは、変更された電力パラメータを含む測定報告を送信するようにさらに構成され得る。
【０００６】
[0006]一態様では、電力パラメータは基準信号受信電力（reference signal received power）を含む。一態様では、品質パラメータは、基準信号受信品質（reference signal received quality）またはブロックエラーレート（block error rate）を含む。一態様では、少なくとも１つのプロセッサは、品質パラメータに基づいてオフセットを決定するようにさらに構成される。一態様では、少なくとも１つのプロセッサは、電力利得が電力利得しきい値を満たすという決定にさらに基づいて、オフセットを適用するように構成され、少なくとも１つのプロセッサは、電力利得を決定することと、電力利得が電力利得しきい値を満たすと決定することとを行うようにさらに構成される。一態様では、少なくとも１つのプロセッサは、品質パラメータが品質しきい値を満たすと決定することと、品質パラメータが品質しきい値を満たすとき、電力パラメータにオフセットを適用することとによって、品質パラメータに基づいて、変更された電力パラメータを形成するために電力パラメータにオフセットを適用するように構成される。一態様では、少なくとも１つのプロセッサは、第２の品質パラメータが第２の品質しきい値を満たすという決定にさらに基づいて、電力パラメータにオフセットを適用するように構成され、少なくとも１つのプロセッサは、第２の品質パラメータが第２の品質しきい値を満たすと決定するようにさらに構成される。一態様では、少なくとも１つのプロセッサは、変更された電力パラメータが報告しきい値（reporting threshold）を満たすという決定に基づいて、測定報告を送信するように構成され、少なくとも１つのプロセッサは、変更された電力パラメータが報告しきい値を満たすと決定するようにさらに構成される。一態様では、測定報告は、ネイバー基地局（neighbor base station）へのハンドオーバに関連してサービング基地局に送信され、少なくとも１つのプロセッサは、サービング基地局から通信を受信するようにさらに構成され、ここにおいて、サービング基地局は第１のＲＡＴに関連し、ネイバー基地局は第２のＲＡＴに関連する。
【０００７】
[0007]一例では、方法は、第１のＲＡＴを使用する通信に関連する電力パラメータを決定するための動作を含み得る。本方法は、第１のＲＡＴを使用する通信に関連する品質パラメータを決定するための動作をさらに含み得る。本方法は、品質パラメータに基づいて、変更された電力パラメータを形成するために電力パラメータにオフセットを適用するための動作をさらに含み得る。本方法は、変更された電力パラメータを含む測定報告を送信するための動作をさらに含み得る。本方法はユーザ機器（ＵＥ）によって実行され得る。
【０００８】
[0008]一態様では、電力パラメータは基準信号受信電力を含み得る。一態様では、品質パラメータは、基準信号受信品質またはブロックエラーレートを含む。一態様では、本方法は、品質パラメータに基づいてオフセットを決定するための動作をさらに含む。一態様では、オフセットの適用は、電力利得が電力利得しきい値を満たすと決定することにさらに基づき、本方法は、ＵＥによって、電力利得を決定することと、ＵＥによって、電力利得が電力利得しきい値を満たすと決定することとを行うための動作をさらに含む。一態様では、品質パラメータに基づいて、変更された電力パラメータを形成するために電力パラメータにオフセットを適用することは、品質パラメータが品質しきい値を満たすと決定することと、品質パラメータが品質しきい値を満たすとき、電力パラメータにオフセットを適用することとを含む。一態様では、電力パラメータにオフセットを適用することは、第２の品質パラメータが第２の品質しきい値を満たすと決定することにさらに基づき、本方法は、第２の品質パラメータが第２の品質しきい値を満たすと決定するための動作をさらに含む。一態様では、測定報告を送信することは、変更された電力パラメータが報告しきい値を満たすと決定することに基づき、本方法は、変更された電力パラメータが報告しきい値を満たすと決定するための動作をさらに含む。一態様では、測定報告は、ネイバー基地局へのハンドオーバに関連してサービング基地局に送信され、本方法は、サービング基地局から通信を受信するための動作をさらに含み、サービング基地局は第１のＲＡＴに関連し、ネイバー基地局は第２のＲＡＴに関連する。一態様では、第１のＲＡＴは第２のＲＡＴとは異なる。
【０００９】
[0009]一例では、コンピュータ可読媒体は、第１のＲＡＴを使用する通信に関連する電力パラメータを決定するためのコードを含む、ワイヤレス通信のためのコンピュータ実行可能コードを記憶し得る。本コンピュータ可読媒体は、第１のＲＡＴを使用する通信に関連する品質パラメータを決定するためのコードをさらに含み得る。本コンピュータ可読媒体は、品質パラメータに基づいて、変更された電力パラメータを形成するために電力パラメータにオフセットを適用するためのコードをさらに含み得る。本コンピュータ可読媒体は、変更された電力パラメータを含む測定報告を送信するためのコードをさらに含み得る。他の態様について、本明細書で説明する。
【００１０】
[0010]一態様では、電力パラメータは基準信号受信電力を含む。一態様では、品質パラメータは、基準信号受信品質またはブロックエラーレートを含む。一態様では、コードは、品質パラメータに基づいてオフセットを決定するためのコードをさらに含む。一態様では、オフセットの適用は、電力利得が電力利得しきい値を満たすと決定することにさらに基づき、コードは、ＵＥによって、電力利得を決定することと、ＵＥによって、電力利得が電力利得しきい値を満たすと決定することとを行うためのコードをさらに含む。一態様では、品質パラメータに基づいて、変更された電力パラメータを形成するために電力パラメータにオフセットを適用することは、品質パラメータが品質しきい値を満たすと決定することと、品質パラメータが品質しきい値を満たすとき、電力パラメータにオフセットを適用することとを含む。一態様では、電力パラメータにオフセットを適用することは、第２の品質パラメータが第２の品質しきい値を満たすと決定することにさらに基づき、コードは、第２の品質パラメータが第２の品質しきい値を満たすと決定するためのコードをさらに含む。一態様では、測定報告を送信することは、変更された電力パラメータが報告しきい値を満たすと決定することに基づき、コードは、変更された電力パラメータが報告しきい値を満たすと決定するためのコードをさらに含む。一態様では、測定報告は、ネイバー基地局へのハンドオーバに関連してサービング基地局に送信され、コードは、サービング基地局から通信を受信するためのコードをさらに含み、サービング基地局は第１のＲＡＴに関連し、ネイバー基地局は第２のＲＡＴに関連する。一態様では、第１のＲＡＴは第２のＲＡＴとは異なる。
【００１１】
[0011]一態様によれば、本開示は、ＵＥによって、第１のＲＡＴを使用する通信に関連する電力パラメータを決定することを含む、ワイヤレス通信のための方法について説明する。本方法は、ＵＥによって、第１のＲＡＴを使用する通信に関連する品質パラメータを決定することをさらに含み得る。本方法は、ＵＥによって、品質パラメータに基づいて、およびＵＥの電力利得が電力利得しきい値を満たすという決定に基づいて、変更された電力パラメータを形成するために、電力パラメータにオフセットを適用することをさらに含み得る。本方法は、ＵＥによって、第１のＲＡＴから第２のＲＡＴへのハンドオーバのために、変更された電力パラメータを含む測定報告を与えることをさらに含み得る。一態様では、電力パラメータは基準信号受信電力（ＲＳＲＰ：reference signal received power）を表す。一態様では、品質パラメータは、基準信号受信品質（ＲＳＲＱ：reference signal received quality）またはブロックエラーレート（ＢＬＥＲ：block error rate）のうちの少なくとも１つを表す。一態様では、第１のＲＡＴは第４世代（４Ｇ）ＲＡＴである。一態様では、第２のＲＡＴは第３世代（３Ｇ）ＲＡＴである。一態様では、本方法は、計算されたオフセットを形成するために、品質パラメータを使用してオフセットを計算することをさらに含み得る。一態様では、電力パラメータにオフセットを適用することは、電力パラメータに計算されたオフセットを適用することを含む。一態様では、オフセットは品質パラメータに反比例する。一態様では、電力パラメータにオフセットを適用することは、電力パラメータからオフセットを減算することを含む。一態様では、本方法は、電力利得を決定することをさらに含む。一態様では、本方法は、電力利得が電力利得しきい値を満たすと決定することをさらに含む。一態様では、電力パラメータにオフセットを適用することは、電力利得が電力利得しきい値を満たすと決定することに基づいて、電力パラメータにオフセットを適用することを含む。一態様では、本方法は、電力利得に基づいてオフセットを計算することをさらに含む。一態様では、電力パラメータにオフセットを適用することは、オフセットを計算することに基づいて、電力パラメータにオフセットを適用することを含む。一態様では、オフセットは電力利得に比例する。一態様では、本方法は、品質パラメータが品質しきい値を満たすと決定することをさらに含む。一態様では、電力パラメータにオフセットを適用することは、品質パラメータが品質しきい値を満たすと決定することに基づいて、電力パラメータにオフセットを適用することを含む。一態様では、本方法は、第１の品質パラメータが第１の品質しきい値を満たすと決定することをさらに含む。一態様では、本方法は、第２の品質パラメータが第２の品質しきい値を満たすと決定することをさらに含む。一態様では、電力パラメータにオフセットを適用することは、第１の品質パラメータが第１の品質しきい値を満たすと決定することと、第２の品質パラメータが第２の品質しきい値を満たすと決定することとに基づいて、電力パラメータにオフセットを適用することを含む。一態様では、第１の品質パラメータは第２の品質パラメータとは異なる。一態様では、���１の品質しきい値は第２の品質しきい値とは異なる。一態様では、第１の品質パラメータはＲＳＲＱを表す。一態様では、第２の品質パラメータはＢＬＥＲを表す。一態様では、電力パラメータは、ＲＳＲＰ、受信信号コード電力（ＲＳＣＰ：received signal code power）、チップごとの受信エネルギーと干渉レベルとの比（Ｅｃ／Ｉｏ）、または受信信号強度インジケータ（ＲＳＳＩ：received signal strength indicator）のうちの少なくとも１つを表す。
【００１２】
[0012]一態様では、品質パラメータは、ＲＳＲＱ、ＢＬＥＲ、または信号対雑音比（ＳＩＮＲ）のうちの少なくとも１つを表す。一態様では、第１のＲＡＴは、４Ｇ  ＲＡＴ、３Ｇ  ＲＡＴ、第２世代（２Ｇ）ＲＡＴ、またはＷｉ−Ｆｉ（登録商標）  ＲＡＴのうちの１つを含み、第２のＲＡＴは、４Ｇ  ＲＡＴ、３Ｇ  ＲＡＴ、２Ｇ  ＲＡＴ、またはＷｉ−Ｆｉ  ＲＡＴのうちの異なる１つを含む。一態様では、本方法は、変更された電力パラメータが報告しきい値を満たすと決定することをさらに含む。一態様では、測定報告を与えることは、変更された電力パラメータが報告しきい値を満たすと決定することに基づいて、測定報告を与えることを含む。一態様では、第１のＲＡＴは第２のＲＡＴとは異なる。一態様では、通信は、第１のＲＡＴに関連するサービング基地局から受信され、第２のＲＡＴはネイバー基地局に関連する。一態様では、測定報告を与えることは、ネイバー基地局へのハンドオーバのためにサービング基地局に測定報告を与えることを含む。
【００１３】
[0013]本開示の一態様によれば、第１のＲＡＴを使用する通信に関連する電力パラメータを決定するための１つまたは複数のプロセッサを含むＵＥについて説明する。１つまたは複数のプロセッサは、第１のＲＡＴを使用する通信に関連する品質パラメータを決定し得る。１つまたは複数のプロセッサは、品質パラメータに基づいて、およびＵＥの電力利得が電力利得しきい値を満たすという決定に基づいて、変更された電力パラメータを形成するために、電力パラメータにオフセットを適用し得る。１つまたは複数のプロセッサは、第１のＲＡＴから第２のＲＡＴへのハンドオーバのために、変更された電力パラメータを含む測定報告を与え得る。一態様では、電力パラメータはＲＳＲＰを表す。一態様では、品質パラメータは、ＲＳＲＱまたはＢＬＥＲのうちの少なくとも１つを表す。一態様では、第１のＲＡＴは４Ｇ  ＲＡＴであり、第２のＲＡＴは３Ｇ  ＲＡＴである。一態様では、１つまたは複数のプロセッサはさらに、計算されたオフセットを形成するために、品質パラメータを使用してオフセットを計算するためのものである。一態様では、１つまたは複数のプロセッサはさらに、電力パラメータにオフセットを適用するとき、電力パラメータに計算されたオフセットを適用するためのものである。一態様では、オフセットは品質パラメータに反比例する。一態様では、１つまたは複数のプロセッサはさらに、電力パラメータにオフセットを適用するとき、電力パラメータからオフセットを減算するためのものである。一態様では、１つまたは複数のプロセッサはさらに、電力利得を決定することと、電力利得が電力利得しきい値を満たすと決定することとを行うためのものである。一態様では、１つまたは複数のプロセッサはさらに、電力パラメータにオフセットを適用するとき、電力利得が電力利得しきい値を満たすと決定することに基づいて、電力パラメータにオフセットを適用するためのものである。一態様では、１つまたは複数のプロセッサはさらに、電力利得に基づいてオフセットを計算するためのものである。一態様では、１つまたは複数のプロセッサはさらに、電力パラメータにオフセットを適用するとき、オフセットを計算することに基づいて、電力パラメータにオフセットを適用するためのものである。一態様では、オフセットは電力利得に比例する。一態様では、１つまたは複数のプロセッサはさらに、品質パラメータが品質しきい値を満たすと決定するためのものである。一態様では、１つまたは複数のプロセッサはさらに、電力パラメータにオフセットを適用するとき、品質パラメータが品質しきい値を満たすと決定することに基づいて、電力パラメータにオフセットを適用するためのものである。一態様では、１つまたは複数のプロセッサはさらに、第１の品質パラメータが第１の品質しきい値を満たすと決定することと、第２の品質パラメータが第２の品質しきい値を満たすと決定することとを行うためのものである。一態様では、１つまたは複数のプロセッサはさらに、電力パラメータにオフセットを適用するとき、第１の品質パラメータが第１の品質しきい値を満たすと決定することと、第２の品質パラメータが第２の品質しきい値を満たすと決定することとに基づいて、電力パラメ��タにオフセットを適用するためのものである。一態様では、第１の品質パラメータは第２の品質パラメータとは異なり、第１の品質しきい値は第２の品質しきい値とは異なる。一態様では、第１の品質パラメータはＲＳＲＱを表し、第２の品質パラメータはＢＬＥＲを表す。一態様では、電力パラメータは、ＲＳＲＰ、ＲＳＣＰ、Ｅｃ／Ｉｏ、またはＲＳＳＩのうちの少なくとも１つを表す。一態様では、品質パラメータは、ＲＳＲＱ、ＢＬＥＲ、またはＳＩＮＲのうちの少なくとも１つを表す。一態様では、第１のＲＡＴは、４Ｇ  ＲＡＴ、３Ｇ  ＲＡＴ、２Ｇ  ＲＡＴ、またはＷｉ−Ｆｉ  ＲＡＴのうちの１つを含み、第２のＲＡＴは、４Ｇ  ＲＡＴ、３Ｇ  ＲＡＴ、２Ｇ  ＲＡＴ、またはＷｉ−Ｆｉ  ＲＡＴのうちの異なる１つを含む。一態様では、１つまたは複数のプロセッサはさらに、変更された電力パラメータが報告しきい値を満たすと決定するためのものであり、さらに、測定報告を与えるとき、変更された電力パラメータが報告しきい値を満たすと決定することに基づいて測定報告を与えるためのものである。一態様では、第１のＲＡＴは第２のＲＡＴとは異なる。一態様では、通信は、第１のＲＡＴに関連するサービング基地局から受信され、第２のＲＡＴはネイバー基地局に関連し、１つまたは複数のプロセッサはさらに、測定報告を与えるとき、ネイバー基地局へのハンドオーバのためにサービング基地局に測定報告を与えるためのものである。
【００１４】
[0014]本開示の態様によれば、ワイヤレス通信のための命令を記憶する非一時的コンピュータ可読媒体について説明する。命令は、ＵＥの１つまたは複数のプロセッサによって実行されたとき、１つまたは複数のプロセッサに、第１の無線アクセス技術ＲＡＴを使用する通信に関連する電力パラメータを決定することと、第１のＲＡＴを使用する通信に関連する品質パラメータを決定することと、品質パラメータに基づいて、およびＵＥの電力利得が電力利得しきい値を満たすという決定に基づいて、変更された電力パラメータを形成するために、電力パラメータにオフセットを適用することと、第１のＲＡＴから第２のＲＡＴへのハンドオーバのために、変更された電力パラメータを含む測定報告を与えることとを行わせる１つまたは複数の命令を含む。一態様では、電力パラメータはＲＳＲＰを表す。一態様では、品質パラメータは、ＲＳＲＱまたはＢＬＥＲのうちの少なくとも１つを表す。一態様では、第１のＲＡＴは４Ｇ  ＲＡＴであり、第２のＲＡＴは３Ｇ  ＲＡＴである。一態様では、１つまたは複数の命令はさらに、１つまたは複数のプロセッサによって実行されたとき、１つまたは複数のプロセッサに、計算されたオフセットを形成するために、品質パラメータを使用してオフセットを計算させ、１つまたは複数のプロセッサに電力パラメータにオフセットを適用させる１つまたは複数の命令はさらに、１つまたは複数のプロセッサに、電力パラメータに計算されたオフセットを適用させる。一態様では、オフセットは品質パラメータに反比例する。一態様では、１つまたは複数のプロセッサに、電力パラメータにオフセットを適用させる１つまたは複数の命令はさらに、１つまたは複数のプロセッサに、電力パラメータからオフセットを減算させる。一態様では、１つまたは複数の命令はさらに、１つまたは複数のプロセッサによって実行されたとき、１つまたは複数のプロセッサに、電力利得を決定することと、電力利得が電力利得しきい値を満たすと決定することとを行わせ、１つまたは複数のプロセッサに、電力パラメータにオフセットを適用させる１つまたは複数の命令はさらに、１つまたは複数のプロセッサに、電力利得が電力利得しきい値を満たすと決定することに基づいて、電力パラメータにオフセットを適用させる。
【００１５】
[0015]一態様では、１つまたは複数の命令はさらに、１つまたは複数のプロセッサによって実行されたとき、１つまたは複数のプロセッサに電力利得に基づいてオフセットを計算させ、１つまたは複数のプロセッサに電力パラメータにオフセットを適用させる１つまたは複数の命令はさらに、１つまたは複数のプロセッサに、オフセットを計算することに基づいて、電力パラメータにオフセットを適用させる。一態様では、オフセットは電力利得に比例する。一態様では、１つまたは複数の命令はさらに、１つまたは複数のプロセッサによって実行されたとき、１つまたは複数のプロセッサに、品質パラメータが品質しきい値を満たすと決定させ、１つまたは複数のプロセッサに電力パラメータにオフセットを適用させる１つまたは複数の命令はさらに、１つまたは複数のプロセッサに、品質パラメータが品質しきい値を満たすと決定することに基づいて、電力パラメータにオフセットを適用させる。一態様では、１つまたは複数の命令はさらに、１つまたは複数のプロセッサによって実行されたとき、１つまたは複数のプロセッサに、第１の品質パラメータが第１の品質しきい値を満たすと決定することと、第２の品質パラメータが第２の品質しきい値を満たすと決定することとを行わせ、１つまたは複数のプロセッサに電力パラメータにオフセットを適用させる１つまたは複数の命令はさらに、１つまたは複数のプロセッサに、第１の品質パラメータが第１の品質しきい値を満たすと決定することと、第２の品質パラメータが第２の品質しきい値を満たすと決定することとに基づいて、電力パラメータにオフセットを適用させる。一態様では、第１の品質パラメータは第２の品質パラメータとは異なり、第１の品質しきい値は第２の品質しきい値とは異なる。一態様では、第１の品質パラメータはＲＳＲＱを表し、第２の品質パラメータはＢＬＥＲを表す。一態様では、電力パラメータは、ＲＳＲＰ、ＲＳＣＰ、Ｅｃ／Ｉｏ、またはＲＳＳＩのうちの少なくとも１つを表す。一態様では、品質パラメータは、ＲＳＲＱ、ＢＬＥＲ、またはＳＩＮＲのうちの少なくとも１つを表す。一態様では、第１のＲＡＴは、４Ｇ  ＲＡＴ、３Ｇ  ＲＡＴ、２Ｇ  ＲＡＴ、またはＷｉ−Ｆｉ  ＲＡＴのうちの１つを含み、第２のＲＡＴは、４Ｇ  ＲＡＴ、３Ｇ  ＲＡＴ、２Ｇ  ＲＡＴ、またはＷｉ−Ｆｉ  ＲＡＴのうちの異なる１つを含む。一態様では、１つまたは複数の命令はさらに、１つまたは複数のプロセッサによって実行されたとき、１つまたは複数のプロセッサに、変更された電力パラメータが報告しきい値を満たすと決定させ、１つまたは複数のプロセッサに測定報告を与えさせる１つまたは複数の命令はさらに、１つまたは複数のプロセッサに、変更された電力パラメータが報告しきい値を満たすと決定することに基づいて、測定報告を与えさせる。一態様では、第１のＲＡＴは第２のＲＡＴとは異なる。一態様では、通信は、第１のＲＡＴに関連するサービング基地局から受信され、第２のＲＡＴはネイバー基地局に関連し、１つまたは複数のプロセッサに測定報告を与えさせる１つまたは複数の命令はさらに、１つまたは複数のプロセッサに、ネイバー基地局へのハンドオーバのためにサービング基地局に測定報告を与えさせる。
【００１６】
[0016]本開示の態様によれば、ワイヤレス通信のための装置について説明する。本装置は、第１の無線アクセス技術（ＲＡＴ）を使用する通信に関連する電力パラメータを決定するための手段と、第１のＲＡＴを使用する通信に関連する品質パラメータを決定するための手段と、品質パラメータに基づいて、およびユーザ機器（ＵＥ）の電力利得が電力利得しきい値を満たすという決定に基づいて、変更された電力パラメータを形成するために、電力パラメータにオフセットを適用するための手段と、第１のＲＡＴから第２のＲＡＴへのハンドオーバのために、変更された電力パラメータを含む測定報告を与えるための手段とを含む。一態様では、電力パラメータはＲＳＲＰを表す。一態様では、品質パラメータは、ＲＳＲＱまたはＢＬＥＲのうちの少なくとも１つを表す。一態様では、第１のＲＡＴは４Ｇ  ＲＡＴであり、第２のＲＡＴは３Ｇ  ＲＡＴである。一態様では、本装置は、計算されたオフセットを形成するために、品質パラメータを使用してオフセットを計算するための手段をさらに含み、電力パラメータにオフセットを適用するための手段は、電力パラメータに計算されたオフセットを適用するための手段を含む。一態様では、オフセットは品質パラメータに反比例する。一態様では、電力パラメータにオフセットを適用するための手段は、電力パラメータからオフセットを減算するための手段を含む。一態様では、本装置は、電力利得を決定するための手段と、電力利得が電力利得しきい値を満たすと決定するための手段とをさらに含み、電力パラメータにオフセットを適用するための手段は、電力利得が電力利得しきい値を満たすと決定することに基づいて、電力パラメータにオフセットを適用するための手段を含む。一態様では、電力利得に基づいてオフセットを計算するための手段、および電力パラメータにオフセットを適用するための手段は、オフセットを計算することに基づいて、電力パラメータにオフセットを適用するための手段を含む。一態様では、オフセットは電力利得に比例する。一態様では、本装置は、品質パラメータが品質しきい値を満たすと決定するための手段をさらに含み、電力パラメータにオフセットを適用するための手段は、品質パラメータが品質しきい値を満たすと決定することに基づいて、電力パラメータにオフセットを適用するための手段を含む。一態様では、本装置は、第１の品質パラメータが第１の品質しきい値を満たすと決定するための手段と、第２の品質パラメータが第２の品質しきい値を満たすと決定するための手段とをさらに含み、電力パラメータにオフセットを適用するための手段は、第１の品質パラメータが第１の品質しきい値を満たすと決定することと、第２の品質パラメータが第２の品質しきい値を満たすと決定することとに基づいて、電力パラメータにオフセットを適用するための手段を含む。一態様では、第１の品質パラメータは第２の品質パラメータとは異なり、第１の品質しきい値は第２の品質しきい値とは異なる。一態様では、第１の品質パラメータはＲＳＲＱを表し、第２の品質パラメータはＢＬＥＲを表す。一態様では、電力パラメータは、ＲＳＲＰ、ＲＳＣＰ、Ｅｃ／Ｉｏ、またはＲＳＳＩのうちの少なくとも１つを表す。一態様では、��質パラメータは、ＲＳＲＱ、ＢＬＥＲ、またはＳＩＮＲのうちの少なくとも１つを表す。一態様では、第１のＲＡＴは、４Ｇ  ＲＡＴ、３Ｇ  ＲＡＴ、２Ｇ  ＲＡＴ、またはＷｉ−Ｆｉ  ＲＡＴを含み、第２のＲＡＴは、４Ｇ  ＲＡＴ、３Ｇ  ＲＡＴ、２Ｇ  ＲＡＴ、またはＷｉ−Ｆｉ  ＲＡＴのうちの異なる１つを含む。一態様では、本装置は、変更された電力パラメータが報告しきい値を満たすと決定するための手段をさらに含み、測定報告を与えるための手段は、変更された電力パラメータが報告しきい値を満たすと決定することに基づいて、測定報告を与えるための手段を含む。一態様では、第１のＲＡＴは第２のＲＡＴとは異なる。一態様では、通信は、第１のＲＡＴに関連するサービング基地局から受信され、第２のＲＡＴはネイバー基地局に関連し、測定報告を与えるための手段は、ネイバー基地局へのハンドオーバのためにサービング基地局に測定報告を与えるための手段を含む。
【００１７】
[0017]上記では、以下の発明を詳細な説明がより良く理解され得るように、本開示による例の特徴および技術的利点についてやや広く概説した。追加の特徴および利点について、以下で説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００１８】
[0018]本開示の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００１９】
【図１】[0019]本開示の様々な態様による、例示的なワイヤレス通信システムの図。
【図２】[0020]本開示の様々な態様による、図１の１つまたは複数のデバイスの例示的な構成要素の図。
【図３Ａ】[0021]本開示の様々な態様による、高利得アンテナを有するユーザ機器の一例を示す図。
【図３Ｂ】[0022]本開示の様々な態様による、高利得アンテナを有するユーザ機器の別の例を示す図。
【図４】[0023]本開示の様々な態様による、ワイヤレス通信の方法のフローチャート４００。
【図５】[0024]本開示の様々な態様による、無線アクセス技術間ハンドオーバのための例示的なコールフロー図。
【図６】[0025]本開示の様々な態様による、ワイヤレス通信の方法のフローチャート。
【図７】[0026]本開示の様々な態様による、例示的な装置中の異なる手段／構成要素間のデータフローを示す概念データフロー図。
【図８】[0027]本開示の様々な態様による、処理システムを採用する装置のためのハードウェア実装形態の一例を示す図。
【詳細な説明】
【００２０】
[0028]例示的な態様の以下の詳細な説明は、添付の図面を参照する。異なる図面中の同じ参照番号は、同じまたは同様の要素を識別し得る。
【００２１】
[0029]高利得ユーザ機器（ＵＥ）が第１の無線アクセス技術（ＲＡＴ）から第２のＲＡＴへの無線アクセス技術間（ＲＡＴ間）ハンドオーバを経験し得る、技法について説明する。ハンドオーバを実行すべきかどうかを決定するために、ネットワークは、電力パラメータ（たとえば、受信信号電力の測定値、基準信号受信電力（ＲＳＲＰ）パラメータ、受信信号コード電力（ＲＳＣＰ）パラメータ、受信信号強度インジケータ（ＲＳＳＩ）など）、品質パラメータ（たとえば、受信信号品質の測定値、基準信号受信品質（ＲＳＲＱ）パラメータ、ブロックエラーレート（ＢＬＥＲ）、信号対雑音比（ＳＩＮＲ）など）など、１つまたは複数の測定パラメータを含む測定報告をＵＥから取得し得る。
【００２２】
[0030]ＵＥは、ＵＥとの通信セッション中にある（たとえば、第１のＲＡＴに関連する）サービング基地局のための測定パラメータを報告し得、（たとえば、第２のＲＡＴに関連する）ネイバー基地局のための測定パラメータを報告し得る。場合によっては、ネットワークは、ＵＥとサービング基地局との間の電力パラメータがハンドオーバしきい値を下回るとき、ハンドオーバを開始し得る。ただし、このハンドオーバしきい値は、同様の電力利得（たとえば、約−１００デシベル（ｄＢ））をもつスマートフォンまたはＵＥのための一般的な電力利得（たとえば、アンテナ利得）に基づいて設計され得る。車両アンテナなど、スマートフォンよりも高い電力利得（たとえば、約−８５〜−９０ｄＢ）を有する高利得ＵＥの場合、受信信号電力は、スマートフォンの場合よりも高くなり得る。この場合、電力パラメータはハンドオーバしきい値よりも大きくなり得、ネットワークはハンドオーバを開始しないことがある。その結果、高利得ＵＥが、サービング基地局からネイバー基地局へのハンドオーバなしにサービング基地局のカバレージエリアからネイバー基地局のカバレージエリアに移動するとき、通信セッション（たとえば、ボイスオーバーロングタームエボリューション（ＶｏＬＴＥ：voice over long term evolution）呼、ビデオオーバーＬＴＥセッションなど）がドロップされることがある。
【００２３】
[0031]本明細書で説明する技法は、高利得ＵＥが、ネットワークに報告される電力パラメータを変更するのを支援する。たとえば、高利得ＵＥは、基地局との通信の品質を決定するために、品質パラメータなど、別の測定パラメータを使用し得る。通信の品質に基づいて、高利得ＵＥは、電力パラメータを変更し得、変更された電力パラメータをネットワークに報告し得る。真の受信信号電力ではなく変更された電力パラメータを報告することによって、高利得ＵＥは、（たとえば、第１のＲＡＴに関連する）サービング基地局から（たとえば、第２のＲＡＴに関連する）ネイバー基地局へのハンドオーバ成功の可能性を増加させ得る。
【００２４】
[0032]図１は、本開示の様々な態様による、例示的なワイヤレス通信システム１００の図である。ワイヤレス通信システム１００は、セルラーネットワークと、Ｗｉ−Ｆｉネットワークとを含み得る。セルラーネットワークは、１つまたは複数の基地局１０５、１０５−ａと、１つまたは複数のＵＥ１１５、１１５−ａと、コアネットワーク１３０とを含み得る。Ｗｉ−Ｆｉネットワークは、１つまたは複数のＷｉ−Ｆｉアクセスポイント１３５、１３５−ａと、Ｗｉ−Ｆｉ局１４０−ａなどの１つまたは複数のＷｉ−Ｆｉ局とを含み得る。
【００２５】
[0033]ワイヤレス通信システム１００のセルラーネットワークを参照すると、コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５、１０５−ａは、バックホールリンク１３２（たとえば、Ｓ１など）を通してコアネットワーク１３０とインターフェースをとり得、ＵＥ１１５、１１５−ａとの通信のための無線構成およびスケジューリングを実行し得るか、または基地局コントローラ（図示せず）の制御下で動作し得る。様々な例では、基地局１０５、１０５−ａは、ワイヤードまたはワイヤレス通信リンクであり得るバックホールリンク１３４（たとえば、Ｘ２など）を介して、直接または間接的（たとえば、コアネットワーク１３０を通して）のいずれかで、互いに通信し得る。
【００２６】
[0034]基地局１０５、１０５−ａは、１つまたは複数の基地局アンテナを介してＵＥ１１５、１１５−ａとワイヤレス通信し得る。基地局１０５、１０５−ａサイトの各々は、それぞれの地理的カバレージエリア１１０に対して通信カバレージを与え得る。いくつかの例では、基地局１０５、１０５−ａは、トランシーバ基地局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５、１０５−ａのための地理的カバレージエリア１１０は、カバレージエリアの一部分を構成するセクタに分割され得る（図示せず）。セルラーネットワークは、異なるタイプの基地局１０５、１０５−ａ（たとえば、マクロセル基地局および／またはスモールセル基地局）を含み得る。異なる技術のための重複する地理的カバレージエリア１１０があり得る。
【００２７】
[0035]いくつかの例では、セルラーネットワークはＬＴＥ／ＬＴＥ−Ａネットワークを含み得る。ＬＴＥ／ＬＴＥ−Ａネットワークでは、発展型ノードＢ（ｅＮＢ）という用語は、基地局１０５、１０５−ａを表すために使用され得、ＵＥという用語は、ＵＥ１１５、１１５−ａを表すために使用され得る。セルラーネットワークは、異なるタイプのｅＮＢが様々な地理的領域に対してカバレージを与える、異機種ＬＴＥ／ＬＴＥ−Ａネットワークであり得る。たとえば、各ｅＮＢまたは基地局１０５、１０５−ａは、マクロセル、スモールセル、および／または別のタイプのセルに対して通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【００２８】
[0036]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、認可、無認可などの）無線周波数スペクトル帯域においてマクロセルとして動作し得る低電力基地局（lower-powered base station）であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００２９】
[0037]セルラーネットワークは同期動作または非同期動作をサポートし得る。同期動作の場合、基地局は同様のフレームタイミングを有し得、異なる基地局からの送信は近似的に時間的に整列され（aligned）得る。非同期動作の場合、基地局は異なるフレームタイミングを有し得、異なる基地局からの送信は時間的に整列されないことがある。本明細書で説明する技法は、同期動作または非同期動作のいずれかのために使用され得る。
【００３０】
[0038]セルラーネットワークは、いくつかの例では、階層化プロトコルスタックに従って動作するパケットベースネットワークを含み得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。ＭＡＣレイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートするコアネットワーク１３０または基地局１０５、１０５−ａとＵＥ１１５、１１５−ａとの間のＲＲＣ接続の確立と構成と維持とを行い得る。物理（ＰＨＹ）レイヤにおいて、トランスポートチャネルは物理チャネルにマッピングされ得る。
【００３１】
[0039]ＵＥ１１５、１１５−ａは、ワイヤレス通信システム１００全体にわたって分散され得、各ＵＥ１１５、１１５−ａは固定型または移動型であり得る。ＵＥ１１５、１１５−ａは、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、あるいはそのように当業者によって呼ばれることもある。ＵＥ１１５、１１５−ａは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局１０５、１０５−ａおよびネットワーク機器と通信することが可能であり得る。
【００３２】
[0040]ワイヤレス通信システム１００中に示されている通信リンク１２５は、基地局１０５、１０５−ａからＵＥ１１５、１１５−ａにダウンリンク（ＤＬ）送信を搬送し、および／またはＵＥ１１５、１１５−ａから基地局１０５、１０５−ａにアップリンク（ＵＬ）送信を搬送し得る。ダウンリンク送信は順方向リンク送信と呼ばれることもあり、アップリンク送信は逆方向リンク送信と呼ばれることもある。
【００３３】
[0041]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各変調された信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００３４】
[0042]ワイヤレス通信システム１００のいくつかの実施形態では、基地局１０５、１０５−ａおよび／またはＵＥ１１５、１１５−ａは、基地局１０５、１０５−ａとＵＥ１１５、１１５−ａとの間の通信品質と信頼性とを改善するために、アンテナダイバーシティ方式を採用するための複数のアンテナを含み得る。追加または代替として、基地局１０５、１０５−ａおよび／またはＵＥ１１５、１１５−ａは、同じまたは異なるコード化データを搬送する複数の空間レイヤを送信するために、マルチパス環境を利用し得る多入力多出力（ＭＩＭＯ）技法を採用し得る。
【００３５】
[0043]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５、１１５−ａは、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３６】
[0044]ワイヤレス通信システム１００のＷｉ−Ｆｉネットワークを参照すると、Ｗｉ−Ｆｉアクセスポイント１３５、１３５−ａは、１つまたは複数の通信リンク１４５を通じて、１つまたは複数のＷｉ−Ｆｉアクセスポイントアンテナを介してＷｉ−Ｆｉ局１４０、１４０−ａとワイヤレスで通信し得る。いくつかの例では、Ｗｉ−Ｆｉアクセスポイント１３５、１３５−ａは、米国電気電子技術者協会（ＩＥＥＥ）規格８０２．１１（たとえば、ＩＥＥＥ規格８０２．１１ａ、ＩＥＥＥ規格８０２．１１ｎ、またはＩＥＥＥ規格８０２．１１ａｃ）など、１つまたは複数のＷｉ−Ｆｉ通信規格を使用して、Ｗｉ−Ｆｉ局１４０、１４０−ａと通信し得る。
【００３７】
[0045]いくつかの例では、Ｗｉ−Ｆｉ局１４０、１４０−ａは、セルラーフォン、携帯情報端末（ＰＤＡ）、ワイヤレス通信デバイス、ハンドヘルドデバイス、タブレットコンピュータ、ラップトップコンピュータなどであり得る。いくつかの例では、装置が、ＵＥ１１５、１１５−ａとＷｉ−Ｆｉ局１４０、１４０−ａの両方の態様を含み得、そのような装置は、第１の無線アクセス技術（ＲＡＴ）（たとえば、あるセルラーＲＡＴまたは複数のセルラーＲＡＴ）を使用して１つまたは複数の基地局１０５、１０５−ａと通信し、第２のＲＡＴ（たとえば、あるＷｉ−Ｆｉ  ＲＡＴまたは複数のＷｉ−Ｆｉ  ＲＡＴ）を使用して１つまたは複数のＷｉ−Ｆｉアクセスポイント１３５、１３５−ａと通信し得る。
【００３８】
[0046]いくつかの例では、基地局１０５、１０５−ａおよびＵＥ１１５、１１５−ａは、認可（licensed）無線周波数スペクトル帯域および／または無認可（unlicensed）無線周波数スペクトル帯域を介して通信し得、Ｗｉ−Ｆｉアクセスポイント１３５、１３５−ａおよびＷｉ−Ｆｉ局１４０、１４０−ａは、無認可無線周波数スペクトル帯域を介して通信し得る。したがって、無認可無線周波数スペクトル帯域は、基地局１０５、１０５−ａ、ＵＥ１１５、１１５−ａ、Ｗｉ−Ｆｉアクセスポイント１３５、１３５−ａ、および／またはＷｉ−Ｆｉ局１４０、１４０−ａによって共有され得る。
【００３９】
[0047]図１に示されている構成要素の数および配置は、一例として与えられている。実際には、ワイヤレス通信システム１００は、図１に示されているもの以外に、追加のデバイス、より少数のデバイス、異なるデバイス、または異なって配置されたデバイスを含み得る。追加または代替として、ワイヤレス通信システム１００のデバイスのセット（たとえば、１つまたは複数のデバイス）は、ワイヤレス通信システム１００のデバイスの別のセットによって実行されるものとして説明される１つまたは複数の機能を実行し得る。
【００４０】
[0048]図２は、本開示の一態様に従って構成された基地局／ｅノードＢ２１０およびＵＥ２１５の例示的な構成要素の図である。たとえば、図２に示されている基地局／ｅノードＢ２１０およびＵＥ２１５は、それぞれ、図１に示されている基地局／ｅノードＢ１０５およびＵＥ１１５に対応し得る。基地局２１０はアンテナ２３４1〜tを装備し得、ＵＥ２１５はアンテナ２５２1〜rを装備し得、ここにおいて、ｔおよびｒは１以上の整数である。
【００４１】
[0049]基地局２１０において、基地局送信プロセッサ２２０は、基地局データソース２１２からデータを受信し、基地局コントローラ／プロセッサ２４０から制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ：Physical Hybrid-ARQ Indicator Channel）、物理ダウンリンク制御チャネル（ＰＤＣＣＨ）などの上で搬送され得る。データは、たとえば、物理ダウンリンク共有チャネル（ＰＤＳＣＨ）上で搬送され得る。基地局送信プロセッサ２２０は、データシンボルおよび制御シンボルを取得するために、それぞれデータおよび制御情報を処理（たとえば、符号化およびシンボルマッピング）し得る。基地局送信プロセッサ２２０はまた、たとえば、ＰＳＳ、ＳＳＳ、およびセル固有基準信号（ＲＳ：reference signal）のための、基準シンボルを生成し得る。基地局送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、基地局変調器／復調器（ＭＯＤ／ＤＥＭＯＤ）２３２1〜tに出力シンボルストリームを与え得る。各基地局変調器／復調器２３２は、出力サンプルストリームを取得するために、（たとえば、直交周波数分割多重（ＯＦＤＭ）などのために）それぞれの出力シンボルストリームを処理し得る。各基地局変調器／復調器２３２はさらに、ダウンリンク信号を取得するために、出力サンプルストリームを処理（たとえば、アナログへの変換、増幅、フィルタ処理、およびアップコンバート）し得る。変調器／復調器２３２1〜tからのダウンリンク信号は、それぞれアンテナ２３４1〜tを介して送信され得る。
【００４２】
[0050]ＵＥ２１５において、ＵＥアンテナ２５２1〜rは、基地局２１０からダウンリンク信号を受信し得、受信信号をそれぞれＵＥ変調器／復調器（ＭＯＤ／ＤＥＭＯＤ）２５４1〜rに与え得る。各ＵＥ変調器／復調器２５４は、入力サンプルを取得するために、それぞれの受信信号を調整（たとえば、フィルタ処理、増幅、ダウンコンバート、およびデジタル化）し得る。各ＵＥ変調器／復調器２５４はさらに、受信シンボルを取得するために、（たとえば、ＯＦＤＭなどのために）入力サンプルを処理し得る。ＵＥ  ＭＩＭＯ検出器２５６は、すべてのＵＥ変調器／復調器２５４1〜rから受信シンボルを取得し、適用可能な場合は受信シンボルに対してＭＩＭＯ検出を実行し、検出シンボルを与え得る。ＵＥ受信プロセッサ２５８は、検出シンボルを処理（たとえば、復調、デインターリーブ、および復号）し、ＵＥ２１５のための復号されたデータをＵＥデータシンク２６０に与え、復号された制御情報をＵＥコントローラ／プロセッサ２８０に与え得る。
【００４３】
[0051]アップリンク上では、ＵＥ２１５において、ＵＥ送信プロセッサ２６４が、ＵＥデータソース２６２から（たとえば、物理アップリンク共有チャネル（ＰＵＳＣＨ）のための）データを受信し、処理し得、ＵＥコントローラ／プロセッサ２８０から（たとえば、物理アップリンク制御チャネル（ＰＵＣＣＨ）のための）制御情報を受信し、処理し得る。ＵＥ送信プロセッサ２６４はまた、基準信号のための基準シンボルを生成し得る。ＵＥ送信プロセッサ２６４からのシンボルは、適用可能な場合はＵＥ  ＴＸ  ＭＩＭＯプロセッサ２６６によってプリコーディングされ得、（たとえば、ＳＣ−ＦＤＭなどのために）ＵＥ変調器／復調器２５４1〜rによってさらに処理され得、基地局２１０に送信され得る。基地局２１０において、ＵＥ２１５からのアップリンク信号は、基地局アンテナ２３４によって受信され、基地局変調器／復調器２３２によって処理され、適用可能な場合は基地局ＭＩＭＯ検出器２３６によって検出され、ＵＥ２１５によって送られた復号されたデータと制御情報とを取得するために、基地局受信プロセッサ２３８によってさらに処理され得る。基地局受信プロセッサ２３８は、復号されたデータを基地局データシンク２４６に与え、復号された制御情報を基地局コントローラ／プロセッサ２４０に与え得る。
【００４４】
[0052]基地局コントローラ／プロセッサ２４０およびＵＥコントローラ／プロセッサ２８０は、それぞれ、基地局２１０およびＵＥ２１５における動作を指示し得る。基地局２１０における基地局コントローラ／プロセッサ２４０および／または他のプロセッサおよびモジュールは、たとえば、本明細書で説明する技法のための様々なプロセスの実行を行うか、またはその実行を指示し得る。ＵＥ２１５におけるＵＥコントローラ／プロセッサ２８０ならびに／または他のプロセッサおよびモジュールも、たとえば、図３Ｂに示されている１つまたは複数のブロック、および／または本明細書で説明する技法のための他のプロセスの実行を行うか、またはその実行を指示し得る。基地局メモリ２４２およびＵＥメモリ２８２は、それぞれ、基地局２１０およびＵＥ２１５のためのデータおよびプログラムコードを記憶し得る。スケジューラ２４４は、ダウンリンクおよび／またはアップリンク上でのデータ送信のためにＵＥ２１５をスケジュールし得る。
【００４５】
[0053]一構成では、基地局２１０は、アップリンク（ＵＬ）送信またはダウンリンク（ＤＬ）送信のうちの少なくとも１つについてのコンパクトなダウンリンク制御情報（ＤＣＩ）を生成するための手段と、ここにおいて、コンパクトなＤＣＩが、いくつかの標準ＤＣＩフォーマットと比較して低減されたビット数を含む、およびＤＣＩを送信するための手段とを含み得る。一態様では、上述の手段は、上述の手段によって具陳された機能を実行するように構成された、基地局コントローラ／プロセッサ２４０、基地局メモリ２４２、基地局送信プロセッサ２２０、基地局変調器／復調器２３２、および／または基地局アンテナ２３４であり得る。別の態様では、上述の手段は、上述の手段によって具陳された機能を実行するように構成されたモジュールまたは任意の装置であり得る。一構成では、ＵＥ２１５は、アップリンク（ＵＬ）送信またはダウンリンク（ＤＬ）送信のうちの少なくとも１つについてのコンパクトなダウンリンク制御情報（ＤＣＩ）を受信するための手段と、ここにおいて、ＤＣＩが、標準ＤＣＩフォーマットの低減されたビット数を含む、およびＤＣＩを処理するための手段とを含み得る。一態様では、上述の手段は、上述の手段によって具陳された機能を実行するように構成された、ＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、および／またはＵＥアンテナ２５２であり得る。別の態様では、上述の手段は、上述の手段によって具陳された機能を実行するように構成されたモジュールまたは任意の装置であり得る。
【００４６】
図３Ａおよび図３Ｂは、本開示の様々な態様による、通信ネットワーク３００中で動作する高利得アンテナを有するＵＥ（以下、高利得ＵＥ）３０６の一例を示す図である。図３Ａの態様では、高利得ＵＥ３０６は、第１のＲＡＴ３１０（たとえば、ＬＴＥ  ＲＡＴ）に関連するカバレージエリアから第２のＲＡＴ３２０（たとえば、３Ｇ  ＲＡＴ）に関連するカバレージエリアに移動している。図３Ａの態様では、高利得ＵＥ３０６は、ネットワーク３００におけるワイヤレス通信のためのアンテナで構成された車両である。一態様では、図３Ａおよび図３Ｂ中のＵＥ３０６は、図１中のＵＥ１１５に対応する。第１のＲＡＴ３１０に関連するサービング基地局３０２が、高利得ＵＥ３０６との通信セッション中にある。一態様では、図３Ａおよび図３Ｂ中のサービング基地局３０２は、図１中のサービング基地局１０５に対応する。図３Ａでは、高利得ＵＥ３０６は、サービング基地局３０２との通信の受信信号電力に基づいて測定された電力パラメータが、電力しきい値よりも大きいと決定する。たとえば、電力パラメータはＲＳＲＰ値であり得る。一態様では、高利得ＵＥ３０６は、電力パラメータをサービング基地局３０２に周期的に報告し得る。そのような場合、サービング基地局３０２は、電力パラメータが、ハンドオーバをトリガするために使用されるハンドオーバしきい値よりも大きいとき、第２のＲＡＴ３２０に関連するネイバー基地局３０４へのハンドオーバを開始しないことがある。一態様では、図３Ａおよび図３Ｂ中のネイバー基地局３０４は、図１中のネイバー基地局１０５に対応する。別の例示的な場合、高利得ＵＥ３０６は、電力パラメータが電力しきい値よりも小さいとき、電力パラメータをサービング基地局３０２に報告し得る。そのような場合、高利得ＵＥ３０６は、サービング基地局３０２がネイバー基地局３０４へのハンドオーバを開始することが可能であるために十分に早期に、電力パラメータを報告することに失敗することがある。図３Ａに関して説明する例示的な場合、通信セッションはドロップされることがある。
【００４７】
[0054]図３Ｂの態様では、高利得ＵＥ３０６は、サービング基地局３０２との通信の受信信号品質に基づいて、品質パラメータを測定する。たとえば、品質パラメータはＲＳＲＱ値であり得る。品質パラメータは、電力パラメータとは対照的に、通信セッションの品質のより正確な尺度（measure）であり得る。たとえば、電力パラメータは、通信セッションに関連する受信信号電力を測定するにすぎないことがある。図３Ｂの態様では、高利得ＵＥ３０６は、品質パラメータに基づいて電力パラメータを変更し得る。たとえば、品質パラメータが品質しきい値よりも小さい場合、高利得ＵＥ３０６は、変更された電力パラメータを決定するために、電力パラメータからオフセット値を減算し得る。高利得ＵＥ３０６は、変更された電力パラメータをサービング基地局３０２に報告し得るか、またはサービング基地局３０２への測定報告の送信をトリガするために変更された電力パラメータを使用し得る。いずれの場合でも、サービング基地局３０２は、高利得ＵＥ３０６が電力パラメータを変更しなかった場合よりも時間的により早期にハンドオーバを開始し、サービング基地局３０２からネイバー基地局３０４へのハンドオーバ成功の可能性が増加し得る。したがって、電力パラメータを変更することによって、高利得ＵＥ３０６は、第１のＲＡＴ３１０から第２のＲＡＴ３２０へのハンドオーバ成功の可能性を増加させ得、ドロップされる通信セッション（たとえば、ドロップされる呼、ドロップされるデータセッションなど）の可能性を減少させ得る。
【００４８】
[0055]例として、３ＧＰＰによって公表された１つまたは複数の技術仕様に適合して動作するすべてのデバイスは、セル選択／再選択およびハンドオーバのパラメータの同じセットを用いて動作すべきである。様々なワイヤレス通信規格（たとえば、ＬＴＥ、ＬＴＥ−Ａ、３Ｇなど）のコンテキストでは、測定報告は、イベントＡ２および／またはイベントＢ２など、イベントに基づき得る。
【００４９】
[0056]一態様によれば、サービング基地局３０２に関連する測定された電力パラメータ  −（minus）  ヒステリシス値が、しきい値よりも大きいとき、第１のイベント（たとえば、イベントＡ２）がトリガされ得る。サービング基地局３０２に関連する測定された電力パラメータ  ＋（plus）  ヒステリシス値が、第１のしきい値よりも小さいことと、ネイバー基地局（たとえば、ネイバー基地局３０４）のための測定された第２の電力パラメータ  ＋（plus）  オフセット  −（minus）  ヒステリシス値が、第２のしきい値よりも大きいことの両方であるとき、第２のイベント（たとえば、イベントＢ２）がトリガされ得る。オフセット、（１つまたは複数の）ヒステリシス値、およびしきい値は、ＲＲＣシグナリング（たとえば、（１つまたは複数の）ＲＲＣ接続／再構成メッセージ）を通してなど、高利得ＵＥ３０６へのシグナリングを通して構成され得る。
【００５０】
[0057]態様では、高利得ＵＥ３０６は、第１のイベントのトリガリングに基づいて、第１の測定報告を送るように構成され得る。第１の測定報告に基づいて、サービング基地局３０２は、オフセット、第１のしきい値、第２のしきい値など、第２のイベントに関連する１つまたは複数の値を高利得ＵＥ３０６にシグナリングし得る。したがって、高利得ＵＥ３０６は、測定値（たとえば、サービング基地局およびネイバリング基地局からの測定された電力パラメータ）と、高利得ＵＥ３０６にシグナリングされた１つまたは複数のパラメータに基づく値との比較に基づいて、第２のイベントの発生を検出し得る。しかしながら、高利得ＵＥ３０６にシグナリングされる値は、従来のＵＥに関するハンドオーバ開始のために構成されるので、測定報告は、（たとえば、図３Ａに関して説明したように）高利得ＵＥ３０６のためのハンドオーバ成功のためにはあまりに遅くトリガされることがある。
【００５１】
[0058]様々な態様では、高利得ＵＥ３０６は、たとえば、測定報告がより早期の時点においてトリガされ、サービング基地局からネイバー基地局３０４へのハンドオーバが成功する可能性が高くなり得るように、高利得ＵＥ３０６の電力パラメータを調整するように構成され得る。
【００５２】
[0059]態様では、高利得ＵＥ３０６は、変更された電力パラメータを形成するために、オフセットが電力パラメータに適用されるべきであると決定し得る。オフセットは、電力パラメータに適用されたとき、電力パラメータが、サービング基地局３０２からネイバー基地局３０４への高利得ＵＥ３０６のハンドオーバをトリガするために使用されるハンドオーバしきい値を満たすことになる可能性を増加させる、値であり得る。たとえば、サービング基地局３０２（または別のネットワークデバイス）は、電力パラメータがハンドオーバしきい値よりも小さいとき、高利得ＵＥ３０６のハンドオーバを開始し得る。そのような態様では、オフセットを適用することは、変更された電力パラメータがハンドオーバしきい値を満たす可能性が高くなるように、（たとえば、減算、除算などを介して）電力パラメータを低下させ得る。
【００５３】
[0060]一態様では、オフセットは、事前構成された値を含み得る。追加または代替として、オフセットは再構成可能であり得る。いくつかの態様では、高利得ＵＥ３０６は、たとえば、ネットワーク状態、高利得ＵＥ３０６の電力利得などに基づいて、オフセットを計算または再構成するように構成され得る。一態様では、高利得ＵＥ３０６は、基地局（たとえば、サービング基地局３０２）からの命令に基づいて、オフセットを再構成するように構成され得る。
【００５４】
[0061]いくつかの態様では、高利得ＵＥ３０６は、１つまたは複数の品質パラメータに基づいてオフセットを計算し得る。たとえば、高利得ＵＥ３０６は、１つまたは複数のＲＳＲＱ値、ＢＬＥＲ値、Ｅｃ／Ｉｏ値などに基づいてオフセットを計算するために数学関数を使用するように構成され得る。いくつかの態様では、高利得ＵＥ３０６は、品質パラメータに反比例する値としてオフセットを計算し得る。たとえば、受信信号品質が高いとき（たとえば、ＲＳＲＱ値が高い、ＢＬＥＲ値が低い、Ｅｃ／Ｉｏ値が高い、など）。逆に、受信信号品質が低いとき、高利得ＵＥ３０６は、オフセットをより高い値になるように構成し得る。このようにして、高利得ＵＥ３０６は、受信信号品質が低いとき、ハンドオーバ成功の可能性を増加させ得、受信信号品質が高いとき、不要なハンドオーバの可能性を減少させ得る。
【００５５】
[0062]追加または代替として、高利得ＵＥ３０６は、高利得ＵＥ３０６の電力利得に基づいて、オフセットを計算するように構成され得る。たとえば、高利得ＵＥ３０６は、電力利得を使用してオフセットを計算するために、数学関数を使用するように構成され得る。いくつかの態様では、高利得ＵＥ３０６は、電力利得に比例する値としてオフセットを計算するように構成され得る。例として、電力利得が高いとき、高利得ＵＥ３０６は、より高い値になるようにオフセットを計算し得、電力利得が低いとき、高利得ＵＥ３０６は、より低い値になるようにオフセットを計算し得る。このようにして、高利得ＵＥ３０６は、高利得ＵＥ３０６の電力利得が高いとき、（たとえば、変更された電力パラメータを減少させることによって）ハンドオーバの可能性を増加させ得る。
【００５６】
[0063]別の例示的な態様では、高利得ＵＥ３０６は、第１のアンテナ（たとえば、内部アンテナ）と第２のアンテナ（たとえば、外部アンテナ）との間で切り替えることと、経路損失差を計算することとに基づいて、オフセットを計算し得る。別の態様では、高利得ＵＥ３０６は、たとえば、ＲＳＳＩに基づいて、複数の事前構成されたオフセットのうちのオフセット間で切り替え得る（たとえば、ＲＳＳＩに関連する低領域、中領域、および高領域）。さらなる態様では、高利得ＵＥ３０６は、最大送信電力値、アップリンクＢＬＥＲ、またはそれら２つの組合せに基づいて、オフセットを計算するように構成され得る。高利得ＵＥ３０６は、オフセットを計算するためおよび／または複数のオフセット間で切り替えるために、上述の技法または追加の技法の組合せを採用し得る。
【００５７】
[0064]いくつかの態様では、高利得ＵＥ３０６は、従来のＵＥ（たとえば、低利得ＵＥ）よりも約１０〜１５ｄＢ高い範囲内の電力利得を有し得る。したがって、オフセットは、（たとえば、電力パラメータから減算されるためのオフセットの場合）約１０ｄｂ〜１５ｄＢの範囲内、または（たとえば、電力パラメータに加算されるためのオフセットの場合）−１５ｄＢ〜−１０ｄＢの範囲内にあるように計算され得る。たとえば、高利得ＵＥ３０６の電力利得は−９０ｄＢであり得、したがって、高利得ＵＥ３０６は、変更された電力パラメータが、測定値報告のために従来のＵＥによって使用され得る１００ｄＢに等しくなるように、（たとえば、電力パラメータから１０ｄＢを減算することによって）電力パラメータを１０ｄＢだけオフセットし得る。別の例では、高利得ＵＥ３０６は、高利得ＵＥ３０６の電力利得が−８５ｄＢであると決定し得、高利得ＵＥ３０６は、電力パラメータを１５ｄＢだけオフセットする。いくつかの態様では、高利得ＵＥ３０６は、約−１００ｄＢと、高利得ＵＥ３０６の電力利得との間の差を決定し得、この差だけ電力パラメータをオフセットし得る。電力パラメータをオフセットだけ変更することによって、および変更された電力パラメータを基地局（たとえば、サービング基地局３０２）に報告することによって、基地局は、ハンドオーバ目的のために、従来のＵＥ（たとえば、スマートフォンまたは別の低利得ＵＥ）として高利得ＵＥ３０６（たとえば、自動車アンテナ）を扱い得る。
【００５８】
[0065]態様によれば、高利得ＵＥ３０６は、少なくとも１つの品質パラメータと少なくとも１つの品質しきい値との比較に基づいて（たとえば、品質パラメータが品質しきい値を満たすかまたは超える場合）、電力パラメータにオフセットを適用するように構成され得る。さらなる態様では、高利得ＵＥ３０６は、複数の品質パラメータを複数の品質しきい値と比較し得る。たとえば、高利得ＵＥ３０６は、ＲＳＲＱ値が第１のしきい値よりも小さいかどうか、およびＢＬＥＲ値が第２のしきい値よりも大きいかどうかを決定するように構成され得る。別の態様では、高利得ＵＥ３０６は、（たとえば、数学関数に基づいて）組み合わせられた品質パラメータを形成するために複数の品質パラメータを組み合わせ、組み合わせられた品質パラメータを品質しきい値と比較し得る。追加または代替として、高利得ＵＥ３０６は、（たとえば、複数の品質パラメータを組み合わせるとき）１つまたは複数の品質パラメータに重みを適用するように構成され得、１つまたは複数の重み付けされた品質パラメータを１つまたは複数の品質しきい値と比較し得る。
【００５９】
[0066]１つまたは複数の品質しきい値は、１つまたは複数の事前構成された値であり得る。別の態様では、高利得ＵＥ３０６は、たとえば、ネットワーク状態、高利得ＵＥ３０６の電力利得などに基づいて、１つまたは複数の品質しきい値を計算するように構成され得る。一態様では、高利得ＵＥ３０６は、基地局（たとえば、サービング基地局３０２）からの命令に基づいて、品質しきい値を変更するように構成され得る。
【００６０】
[0067]一態様では、高利得ＵＥ３０６は、高利得ＵＥ３０６の電力利得に基づいて、電力パラメータにオフセットを適用するように構成され得る。この構成は、品質パラメータに基づく電力パラメータへのオフセットの適用に追加するものまたはそれの代替としてのものであり得る。たとえば、高利得ＵＥ３０６は、高利得ＵＥ３０６の電力利得を決定するように構成され得る。高利得ＵＥ３０６は、決定された電力利得を電力利得しきい値と比較し得る。（たとえば、電力利得が、電力利得しきい値を満たすかまたは上回るとき）決定された電力利得と電力利得しきい値との比較に基づいて、高利得ＵＥ３０６は、電力パラメータにオフセットを適用し得る。そのような場合、高利得ＵＥ３０６は、高利得ＵＥ３０６の電力利得が高いとき、ハンドオーバ成功の可能性を増加させるために電力パラメータを変更し得る（たとえば、ここで、電力パラメータの変更がない場合、ハンドオーバは、ハンドオーバが失敗する時点まで開始されないことがある）。いくつかの態様では、高利得ＵＥ３０６は、高利得ＵＥ３０６の電力利得を決定するように構成され得、ここで、たとえば、高利得ＵＥ３０６は、高利得ＵＥ３０６がそれらの間で切り替え得る複数のアンテナまたはアンテナアレイ（たとえば、内部アンテナおよび外部アンテナ）を使用して通信する。
【００６１】
[0068]態様では、高利得ＵＥ３０６は、コアネットワーク中に含まれるかまたはそれに通信可能に結合されたネットワークデバイス（たとえば、サービング基地局３０２、ネイバー基地局３０４、ＭＭＥなど）に変更された電力パラメータを与え得、ネットワークデバイスは、サービング基地局３０２からネイバー基地局３０４への高利得ＵＥ３０６のハンドオーバに関連して、測定報告を使用し得る（たとえば、ネットワークデバイスは、変更された電力パラメータがハンドオーバしきい値を満たす場合、高利得ＵＥ３０６のハンドオーバを開始し得、またはネットワークデバイスは、高利得ＵＥ３０６にハンドオーバに関連する測定報告のための追加のパラメータをシグナリングし得る）。たとえば、高利得ＵＥ３０６は、（たとえば、測定された電力パラメータの代わりに）変更された電力パラメータを測定報告中に含む測定報告を送信し得る。高利得ＵＥ３０６は、品質パラメータ、電力利得、および／またはネイバー基地局３０４のために測定された値など、他の値を測定報告にさらに含め得る。
【００６２】
[0069]一態様では、高利得ＵＥ３０６は、（変更された電力パラメータを含む）測定報告をネットワークデバイス（たとえば、サービング基地局３０２）に周期的に与え得る。別の態様では、高利得ＵＥ３０６は、イベント（たとえば、１つまたは複数の３ＧＰＰ技術仕様に記載されているイベントＡ２および／またはイベントＢ２）に基づいて、（変更された電力パラメータを含む）測定報告をネットワークデバイス（たとえば、サービング基地局３０２）に与え得る。様々な態様では、イベントは、変更された電力パラメータ（および／または品質パラメータ）と報告しきい値との比較を含み得る。
【００６３】
[0070]報告しきい値は、事前構成された値を含み得る。追加または代替として、報告しきい値は再構成可能であり得る。いくつかの態様では、報告しきい値は、たとえば、ネットワーク状態、高利得ＵＥ３０６の電力利得などに基づく値に設定され得る。いくつかの態様では、高利得ＵＥ３０６が、基地局（たとえば、サービング基地局３０２）から命令を受信し得、基地局からの命令に基づいて、報告しきい値を構成し得る。
【００６４】
[0071]態様では、高利得ＵＥ３０６は、第１のイベントのトリガリングに基づいて、第１の測定報告を送るように構成され得る。たとえば、高利得ＵＥ３０６は、変更された電力パラメータ  −（minus）  ヒステリシス値が、報告しきい値よりも大きいとき、変更された電力パラメータを送信するように構成され得る。
【００６５】
[0072]例として、高利得ＵＥ３０６は、イベントＡ２に基づいて第１の測定報告を送るように構成され得るが、しかしながら、高利得ＵＥ３０６がイベントＡ２の発生を検出するために変更された電力パラメータを使用しないとすれば（たとえば、高利得ＵＥ３０６が、測定された電力パラメータを使用するとすれば）、変更された電力パラメータは、高利得ＵＥ３０６に、高利得ＵＥ３０６が第１の測定報告を送信する時点よりもより早期である時点において、第１の測定報告を送信させ得る。サービング基地局３０２は、イベントＡ２の受信に基づいて、イベントＢ２のための構成を高利得ＵＥ３０６に通信し得るので、サービング基地局３０２は、より早期の時点においてイベントＢ２構成をシグナリングし得る。高利得ＵＥ３０６におけるイベントＢ２構成のより早期の受信は、イベントＢ２のための第１のしきい値が満たされることになる機会を増加させ、したがって、ハンドオーバ成功の機会を増加させ得る。
【００６６】
[0073]いくつかの態様では、高利得ＵＥ３０６は、イベントＢ２がトリガされるかどうかを決定するために第２の変更された電力パラメータをさらに使用し得、および／またはイベントＢ２によってトリガされた測定報告に第２の変更された電力パラメータを含め得る。たとえば、高利得ＵＥ３０６は、ネイバー基地局３０４のための第２の電力パラメータを測定し得る。高利得ＵＥ３０６は、ネイバー基地局３０４のための第２の品質パラメータを測定し得、高利得ＵＥ３０６は、サービング基地局３０２に関して本明細書で説明する様式と同様の様式で、第２の変更された電力パラメータを形成するために第２の測定された電力パラメータにオフセットを適用し得る。しかしながら、他の態様では、高利得ＵＥ３０６は、サービング基地局のためのおよび／または特定のＲＡＴのための１つまたは複数の電力パラメータのみを変更し得る（たとえば、３Ｇにハンドオーバするとき、ＬＴＥ電力パラメータのみを変更し得る）。
【００６７】
[0074]図４は、本開示の様々な態様による、ワイヤレス通信の方法のフローチャート４００である。一態様では、本方法は、ＵＥ１１５またはＵＥ３０６など、ＵＥによって実行され得る。
【００６８】
[0075]図４に示されているように、４１０において、ＵＥは、第１のＲＡＴを使用する通信に関連する電力パラメータを決定する。たとえば、ＵＥは、第１のＲＡＴを使用する１つまたは複数の通信の受信信号電力を測定し得、受信信号電力を表す電力パラメータを決定し得る。いくつかの態様では、ＵＥは、ＵＥがボイス呼（voice call）（たとえば、ＶｏＬＴＥ呼）、ビデオ呼、データセッションなどのためにそれと通信している、サービング基地局（たとえば、サービング基地局３０２）から１つまたは複数の通信を受信し得る。サービング基地局は、ＵＥと通信するために第１のＲＡＴを使用し得る。第１のＲＡＴは、たとえば、４Ｇ  ＲＡＴ、３Ｇ  ＲＡＴ、２Ｇ  ＲＡＴ、ＬＴＥ  ＲＡＴ、ＬＴＥアドバンスト（ＬＴＥ−Ａ）ＲＡＴ、Ｗｉ−Ｆｉ  ＲＡＴなどを含み得る。
【００６９】
[0076]ＵＥは、１つまたは複数の通信に関連する電力パラメータを決定し得る。いくつかの態様では、電力パラメータは、受信信号電力の測定値を表し得る。たとえば、電力パラメータは、ＲＳＲＰ、ＲＳＣＰ、ＲＳＳＩ、チップ（たとえば、コードビット）ごとの受信エネルギーと干渉レベルとの比（Ｅｃ／Ｉｏ）などを表し得る。いくつかの態様では、電力パラメータは、デシベル値など、値を使用して表され得る（たとえば、受信信号電力値、ＲＳＲＰ値、ＲＳＣＰ値、ＲＳＳＩ値、Ｅｃ／Ｉｏ値など）。
【００７０】
[0077]いくつかの態様では、ＵＥは、サービング基地局からネイバー基地局（たとえば、ネイバー基地局３０４）へのＵＥのハンドオーバのために使用される報告プロセスの一部として、電力パラメータを決定し得る。いくつかの態様では、サービング基地局は第１のＲＡＴに関連し得、ネイバー基地局は第２のＲＡＴに関連し得る。第２のＲＡＴは、たとえば、４Ｇ  ＲＡＴ、３Ｇ  ＲＡＴ（たとえば、ユニバーサル・モバイル通信システム（ＵＭＴＳ）、高速パケットアクセス（ＨＳＰＡ）、符号分割多元接続（ＣＤＭＡ）など）、２Ｇ  ＲＡＴ、ＬＴＥ  ＲＡＴ、ＬＴＥ−Ａ  ＲＡＴ、Ｗｉ−Ｆｉ  ＲＡＴなどを含み得る。いくつかの態様では、第１のＲＡＴは第２のＲＡＴとは異なり得る。この場合、ハンドオーバはＲＡＴ間ハンドオーバを含み得る。
【００７１】
[0078]４２０において、ＵＥは、第１のＲＡＴを使用する通信に関連する品質パラメータを決定する。たとえば、ＵＥは、第１のＲＡＴを使用する１つまたは複数の通信の受信信号品質を測定し得、受信信号品質を表す品質パラメータを決定し得る。いくつかの態様では、ＵＥは、前に説明したように、サービング基地局から１つまたは複数の通信を受信し得る。
【００７２】
[0079]ＵＥは、１つまたは複数の通信に関連する品質パラメータを決定し得る。いくつかの態様では、品質パラメータは、受信信号品質の測定値を表し得る。たとえば、品質パラメータは、ＲＳＲＱ、ＢＬＥＲ、ＳＩＮＲなどを表し得る。いくつかの態様では、品質パラメータは、デシベル値など、値を使用して表され得る（たとえば、受信信号品質値、ＲＳＲＱ値、ＢＬＥＲ値、ＳＩＮＲ値など）。いくつかの態様では、ＵＥは、複数の品質パラメータ（たとえば、ＲＳＲＱ値とＢＬＥＲ値、ＲＳＲＱ値とＳＩＮＲ値、ＢＬＥＲ値とＳＩＮＲ値など）を決定し得る。
【００７３】
[0080]いくつかの態様では、ＵＥは、電力パラメータを変更するために品質パラメータを使用し得、ハンドオーバのために変更された電力パラメータをサービング基地局に報告し得る。追加または代替として、ＵＥは、ハンドオーバのために測定報告をサービング基地局に与えるべきかどうかを決定するために、品質パラメータを使用し得る。ＵＥが、（たとえば、電力利得しきい値を満たす電力利得をもつ）高利得ＵＥであるとき、このようにして受信信号品質を使用することは、ハンドオーバ成功の可能性を増加させ得る。
【００７４】
[0081]４３０において、ＵＥは、品質パラメータが品質しきい値を満たすと決定する。たとえば、ＵＥは、品質パラメータ（たとえば、ＲＳＲＱ値、ＢＬＥＲ値、ＳＩＮＲ値など）が品質しきい値を満たすと決定し得る。いくつかの態様では、ＵＥは、電力パラメータを変更すべきかどうかを決定するために、品質しきい値を使用し得る。いくつかの態様では、ＵＥは、測定報告をサービング基地局に与えるべきかどうかを決定するために、品質しきい値を使用し得る。
【００７５】
[0082]いくつかの態様では、品質しきい値は、事前構成された値を含み得る。追加または代替として、品質しきい値は再構成可能であり得る。いくつかの態様では、品質しきい値は、たとえば、ネットワーク状態、ＵＥの電力利得などに基づく値に設定され得る。一態様では、ＵＥは、品質しきい値を変更するようにとの命令を基地局（たとえば、サービング基地局）から受信し得る。そのような態様では、ＵＥは、その命令に基づいて品質しきい値を変更し得る。
【００７６】
[0083]ＵＥは、品質パラメータが品質しきい値を満たすかどうかを決定するために、品質パラメータと品質しきい値とを比較し得る。一態様では、ＵＥは、品質パラメータが品質しきい値よりも小さいかまたはそれに等しいとき、品質パラメータが品質しきい値を満たすと決定し得る。たとえば、ＵＥは、ＲＳＲＱ値が品質しきい値よりも小さいかまたはそれに等しいかどうかを決定し得る。
【００７７】
[0084]追加または代替として、ＵＥは、複数の品質パラメータを複数の品質しきい値と比較し得る。この場合、ＵＥは、第１の品質パラメータが第１の品質しきい値を満たすかどうか、第２の品質パラメータが第２の品質しきい値を満たすかどうか、などを決定し得る。たとえば、ＵＥは、ＲＳＲＱ値が第１のしきい値よりも小さいかどうかを決定し得、ＢＬＥＲ値が第２のしきい値よりも大きいかどうかを決定し得る。
【００７８】
[0085]いくつかの態様では、ＵＥは、組み合わせられたパラメータを形成するために、（たとえば、数学関数を使用して）複数の品質パラメータを組み合わせ得、組み合わせられたパラメータを品質しきい値と比較し得る。追加または代替として、ＵＥは、（たとえば、複数の品質パラメータを組み合わせるときに）１つまたは複数の品質パラメータに重みを適用し得、得られたパラメータを品質しきい値と比較し得る。
【００７９】
[0086]４４０において、ＵＥは、電力利得が電力利得しきい値を満たすと決定する。たとえば、ＵＥは、ＵＥの電力利得（たとえば、ＵＥのアンテナ利得、または通信を受信するＵＥの受信機の電力利得）を決定し得る。ＵＥは、電力利得が電力利得しきい値を満たすかどうかを決定し得る。一態様では、ＵＥは、電力利得が電力利得しきい値よりも大きいとき、電力利得が電力利得しきい値を満たすと決定し得る。電力利得が電力利得しきい値を満たす場合、ＵＥは、ハンドオーバのためにサービング基地局に報告される電力パラメータを変更し得る。そのような変更がない場合、サービング基地局は、ＵＥをネイバー基地局にハンドオーバすることに失敗することがある。
【００８０】
[0087]いくつかの態様では、電力利得しきい値は、事前構成された値を含み得る。追加または代替として、電力利得しきい値は再構成可能であり得る。いくつかの態様では、電力利得しきい値は、たとえば、ネットワーク状態、ＵＥの電力利得などに基づく値に設定され得る。いくつかの態様では、ＵＥは、電力利得しきい値を変更するようにとの命令を基地局から（たとえば、サービング基地局から）受信し得る。そのような態様では、ＵＥは、その命令に基づいて電力利得しきい値を変更し得る。
【００８１】
[0088]いくつかの態様では、ＵＥがスマートフォンなどの低利得ＵＥである場合、ＵＥは約−１００ｄＢの電力利得を有し得る。いくつかの態様では、ＵＥが、アンテナをもつ車両（たとえば、ルーフトップアンテナをもつ車）など、高利得ＵＥである場合、約−９０ｄＢ〜−８５ｄＢの範囲内の電力利得を有し得る。言い換えれば、高利得ＵＥは、低利得ＵＥよりも約１０ｄＢ〜約１５ｄＢ高い範囲内の電力利得を有し得る。この場合、および一例として、ＵＥは、電力利得しきい値を−１００ｄＢ、−９５ｄＢ、−９０ｄＢなどに設定し得る。
【００８２】
[0089]４５０において、ＵＥは、変更された電力パラメータを形成するために電力パラメータにオフセットを適用する。たとえば、ＵＥは、変更された電力パラメータを決定するために、電力パラメータ（たとえば、ＲＳＲＰ値、ＲＳＣＰ値、Ｅｃ／Ｉｏ値、ＲＳＳＩ値など）にオフセット（たとえば、オフセット値）を適用し得る。
【００８３】
[0090]オフセットは、電力パラメータに適用されたとき、電力パラメータが、サービング基地局からネイバー基地局へのＵＥのハンドオーバをトリガするために使用されるハンドオーバしきい値を満たすことになる可能性を増加させる、値を含み得る。たとえば、サービング基地局（または別のネットワークデバイス）は、電力パラメータがハンドオーバしきい値よりも小さいとき、ハンドオーバを開始し得る。この場合、オフセットを適用することは、変更された電力パラメータがハンドオーバしきい値を満たす可能性が高くなるように、（たとえば、減算、除算などを介して）電力パラメータを低下させ得る。
【００８４】
[0091]いくつかの態様では、ＵＥは、品質パラメータが品質しきい値を満たすと決定することに基づいて、オフセットを適用し得る。このようにして、ＵＥは、サービング基地局との通信セッションの品質が劣化したとき、ハンドオーバの可能性を増加させるために電力パラメータを変更し得る。追加または代替として、ＵＥは、電力利得が電力利得しきい値を満たすと決定することに基づいて、オフセットを適用し得る。この場合、ＵＥは、ＵＥが（たとえば、電力パラメータを変更することがない場合、ハンドオーバされないことがある）高利得ＵＥであるとき、ハンドオーバの可能性を増加させるために電力パラメータを変更し得る。
【００８５】
[0092]いくつかの態様では、オフセットは、事前構成された値を含み得る。追加または代替として、オフセットは再構成可能であり得る。いくつかの態様では、オフセットは、たとえば、ネットワーク状態、ＵＥの電力利得などに基づく値に設定され得る。いくつかの態様では、ＵＥは、オフセットを変更するようにとの命令を基地局から（たとえば、サービング基地局から）受信し得る。そのような態様では、ＵＥは、その命令に基づいてオフセットを変更し得る。
【００８６】
[0093]いくつかの態様では、ＵＥは、１つまたは複数の品質パラメータに基づいてオフセットを計算し得る。たとえば、ＵＥは、ＲＳＲＱ値、ＢＬＥＲ値、Ｅｃ／Ｉｏ値、ＲＳＳＩ値などのうちの１つまたは複数を使用してオフセットを計算するために数学関数を使用し得る。いくつかの態様では、ＵＥは、品質パラメータに反比例する値としてオフセットを計算し得る。一例として、受信信号品質が高いとき（たとえば、ＲＳＲＱ値が高いとき、ＢＬＥＲ値が低いとき、Ｅｃ／Ｉｏ値が高いとき、ＲＳＳＩ値が高いときなど）、ＵＥは、オフセットをより低い値に設定し得る。逆に、受信信号品質が低いとき、ＵＥはオフセットをより高い値に設定し得る。このようにして、ＵＥは、受信信号品質が低いとき、（たとえば、変更された電力パラメータを減少させることによって）ハンドオーバの可能性を増加させ得、受信信号品質が高いとき、ハンドオーバの可能性を減少させ得る。
【００８７】
[0094]追加または代替として、ＵＥは、ＵＥの電力利得に基づいてオフセットを計算し得る。たとえば、ＵＥは、電力利得を使用してオフセットを計算するために数学関数を使用し得る。いくつかの態様では、ＵＥは、電力利得に比例する値としてオフセットを計算し得る。一例として、電力利得が高いとき（たとえば、ＵＥが高利得ＵＥであるとき、電力利得がしきい値よりも大きいときなど）、ＵＥは、オフセットをより高い値に設定し得る。逆に、電力利得が低いとき（たとえば、ＵＥが高利得ＵＥでないとき、電力利得がしきい値よりも小さいときなど）、ＵＥは、オフセットをより低い値に設定し得る。このようにして、ＵＥは、ＵＥの電力利得が高いとき、（たとえば、変更された電力パラメータを減少させることによって）ハンドオーバの可能性を増加させ得る。
【００８８】
[0095]いくつかの態様では、および上記で説明したように、高利得ＵＥは、低利得ＵＥよりも約１０ｄＢ〜約１５ｄＢ高い範囲内の電力利得を有し得る。この場合、および一例として、オフセットは、（たとえば、オフセットが電力パラメータから減算されるとき）約１０ｄＢ〜約１５ｄＢの範囲内に設定され得、または（たとえば、オフセットが電力パラメータに加算されるとき）約−１５ｄＢ〜約−１０ｄＢの範囲内に設定され得る。
【００８９】
[0096]一例として、ＵＥが、ＵＥの電力利得が−９０ｄＢに等しいと決定した場合、ＵＥは、（たとえば、電力パラメータから１０ｄＢを減算することによって）電力パラメータを１０ｄＢだけオフセットし得る。別の例として、ＵＥが、ＵＥの電力利得が−８５ｄＢに等しいと決定した場合、ＵＥは、電力パラメータを１５ｄＢだけオフセットし得る。いくつかの態様では、ＵＥは、約−１００ｄＢとＵＥの電力利得との間の差を決定し得、電力パラメータをこの差だけオフセットし得る。電力パラメータをオフセットだけ変更することによって、および変更された電力パラメータを基地局（たとえば、サービング基地局）に報告することによって、基地局は、ハンドオーバ目的のために低利得ＵＥ（たとえば、スマートフォン）のように高利得ＵＥ（たとえば、自動車アンテナ）を扱い得る。
【００９０】
[0097]４６０において、ＵＥは、変更された電力パラメータが報告しきい値を満たすと決定する。たとえば、ＵＥは、変更された電力パラメータ（たとえば、オフセットだけ変更された電力パラメータ）が報告しきい値を満たすかどうかを決定し得る。変更された電力パラメータが報告しきい値を満たす場合（たとえば、変更された電力パラメータが報告しきい値よりも小さい場合）、ＵＥはサービング基地局に測定報告を与え得る。
【００９１】
[0098]いくつかの態様では、報告しきい値は、事前構成された値を含み得る。追加または代替として、報告しきい値は再構成可能であり得る。いくつかの態様では、報告しきい値は、たとえば、ネットワーク状態、ＵＥの電力利得などに基づく値に設定され得る。いくつかの態様では、ＵＥは、報告しきい値を変更するようにとの命令を基地局から（たとえば、サービング基地局から）受信し得る。そのような態様では、ＵＥは、その命令に基づいて報告しきい値を変更し得る。
【００９２】
[0099]４７０において、ＵＥは、第１のＲＡＴから第２のＲＡＴへのハンドオーバのために、変更された電力パラメータを含む測定報告を与える。たとえば、ＵＥは、（たとえば、サービング基地局、ネイバー基地局などを介して）コアネットワークに測定報告を与え得る。いくつかの態様では、ＵＥは、変更された電力パラメータを測定報告に含め得る。追加または代替として、ＵＥは、品質パラメータ、電力利得など、１つまたは複数の他のパラメータを測定報告に含め得る。追加または代替として、ＵＥは、ネイバー基地局からの通信に関連する１つまたは複数のパラメータ（たとえば、電力パラメータ、品質パラメータなど）を測定報告に含め得る。
【００９３】
[00100]いくつかの態様では、ＵＥは、上記で説明したように、変更された電力パラメータが報告しきい値を満たすと決定することに基づいて、測定報告を与え得る。追加または代替として、ＵＥは、（たとえば、変更された電力パラメータを含む）測定報告を周期的に与え得る。
【００９４】
[00101]コアネットワーク中に含まれるネットワークデバイス（たとえば、サービング基地局、ネイバー基地局、モビリティ管理エンティティ（ＭＭＥ）、別のネットワークデバイスなど）は、サービング基地局からネイバー基地局にＵＥをハンドオーバすべきかどうかを決定するために、測定報告を使用し得る。たとえば、ネットワークデバイスは、報告された電力パラメータ（この場合、変更された電力パラメータ）がハンドオーバしきい値を満たす（たとえば、ハンドオーバしきい値よりも小さい）とき、ＵＥをハンドオーバすることを決定し得る。
【００９５】
[00102]上記で説明したように、サービング基地局およびネイバー基地局は、異なるＲＡＴに関連し得る。このようにして、ＵＥが高利得ＵＥであるとき、ＵＥは、ＲＡＴ間ハンドオーバ成功の可能性を増加させるために、およびドロップされる通信セッションの可能性を減少させるために、電力パラメータを変更し得る。
【００９６】
[00103]フローチャート４００は、図４に示されているもの以外に、追加のブロック、より少数のブロック、異なるブロック、または異なって配置されたブロックを含み得ることを理解されたい。追加または代替として、図４中のブロックのうちの２つまたはそれ以上が並行して実行され得る。
【００９７】
[00104]図５は、図３Ｂに示されているワイヤレス通信の方法に関係する例示的なコールフロー図５００の図である。図５は、高利得ＵＥ５０２とｅノードＢ５０４とを含む。一態様では、高利得ＵＥ５０２は、図３Ｂ中の高利得ＵＥ３０６に対応し、ｅノードＢ５０４は、図３Ｂ中のサービング基地局３０２に対応する。
【００９８】
[00105]参照番号５１０によって示されているように、ＵＥ５０２は、ｅノードＢ５０４との通信の（たとえば、ＲＳＲＰパラメータを決定するために）ＲＳＲＰを測定し得る。参照番号５２０によって示されているように、ＵＥ５０２はまた、ｅノードＢ５０４との通信のＲＳＲＱおよび／またはＢＬＥＲを測定し得る。参照番号５３０によって示されているように、ＵＥ５０２は、測定されたＲＳＲＱ（たとえば、ＲＳＲＱパラメータ）が品質しきい値よりも小さいと決定し得、および／または測定されたＢＬＥＲが品質しきい値よりも大きいと決定し得る。言い換えれば、ＵＥ５０２は、品質パラメータが品質しきい値を満たす（たとえば、第１の品質パラメータが第１の品質しきい値よりも小さい、第２の品質パラメータが第２の品質しきい値よりも大きいなど）と決定し得る。
【００９９】
[00106]参照番号５４０によって示されているように、ＵＥ５０２は、ＵＥ５０２の電力利得が電力利得しきい値よりも大きいと決定する。品質パラメータが品質しきい値を満たすと決定することに基づいて、および電力利得が電力利得しきい値を満たすと決定することに基づいて、ＵＥ５０２は、測定されたＲＳＲＰに基づいて決定されたＲＳＲＰパラメータを、オフセットを使用して変更し得る。たとえば、ＵＥ５０２は、参照番号５５０によって示されているように、（「変更されたＲＳＲＰ」として示されている）変更されたＲＳＲＰパラメータを決定するために、ＲＳＲＰパラメータからオフセット値を減算し得る。
【０１００】
[00107]参照番号５６０によって示されているように、ＵＥ５０２は、変更されたＲＳＲＰパラメータが報告しきい値よりも小さいと決定し得る。変更されたＲＳＲＰパラメータが報告しきい値よりも小さいと決定することに基づいて、ＵＥ５０２は、参照番号５７０によって示されているように、変更されたＲＳＲＰパラメータを含む測定報告をｅノードＢ５０４に与え得る。追加または代替として、ＵＥ５０２は、変更されたＲＳＲＰパラメータが報告しきい値よりも小さいかどうかにかかわらず、変更されたＲＳＲＰパラメータを含む測定報告をｅノードＢ５０４に周期的に与え得る。このようにして、ｅノードＢ５０４は、高利得ＵＥ５０２をネイバー基地局にハンドオーバすべきかどうかを決定するために、変更されたＲＳＲＰパラメータを使用し、それにより、高利得ＵＥ５０２が成功裏にハンドオーバされる可能性を増加させ得る。
【０１０１】
[00108]図５は、コールフロー図５００の例示的な動作を示しているが、いくつかの態様では、コールフロー図５００は、図５に示されているもの以外に、追加の動作、より少数の動作、異なる動作、または異なって配置された動作を含み得る。追加または代替として、コールフロー図５００の動作のうちの２つまたはそれ以上が並行して実行され得る。
【０１０２】
[00109]次に図６を参照すると、フローチャートが、本開示の様々な態様による、測定報告に関連して、品質パラメータに基づいて電力パラメータを変更するための方法６００を示す。方法６００は、ＵＥによって、より詳細には、高利得ＵＥ（たとえば、図３Ｂの高利得ＵＥ３０６、装置８００／７０２’）によって実行され得る。
【０１０３】
[00110]図６では、様々な動作が随意のものとして示されている（たとえば、破線によって示されている）。しかしながら、本開示は、方法６００の１つまたは複数の動作が様々な態様によれば随意であり、省略され、および／または代替的に実行される、動作を企図する。さらに、方法６００の１つまたは複数の動作は、置き換えられおよび／または同時に実行され得る。
【０１０４】
[00111]方法６００は動作６０２から始まり得、動作６０２において、ＵＥは第１のＲＡＴを使用する通信に関連する電力パラメータを決定する。電力パラメータは、ＲＳＲＰ値、ＲＳＣＰ値、ＲＳＳＩ、またはネットワークデバイスからの受信信号の電力レベルを示す別の値を含み得る。電力パラメータはｄＢ値であり得る。図３Ｂのコンテキストでは、高利得ＵＥ３０６は、第１のＲＡＴ３１０を使用して高利得ＵＥ３０６と通信する、サービング基地局３０２に関連する電力パラメータを測定し得る。
【０１０５】
[00112]動作６０４において、ＵＥは、第１のＲＡＴを使用する通信に関連する品質パラメータを決定する。品質パラメータは、ＲＳＲＱ値、ＢＬＥＲ値、ＳＩＮＲ値、Ｅｃ／Ｉｏ値、またはネットワークデバイスから受信された信号の品質を示す別の値のうちの少なくとも１つを含み得る。図３Ｂのコンテキストでは、高利得ＵＥ３０６は、第１のＲＡＴ３１０を使用して高利得ＵＥ３０６と通信する、サービング基地局３０２に関連する品質パラメータを測定し得る。
【０１０６】
[00113]随意の態様では、方法６００は、動作６３０および６３２を含み得る。動作６３０において、ＵＥは電力利得を決定する。たとえば、ＵＥは、ＵＥが、第１のＲＡＴに従う通信のために現在使用しているアンテナの電力利得を決定し得る。図３Ｂのコンテキストでは、高利得ＵＥ３０６は、サービング基地局３０２と通信するために使用される高利得ＵＥ３０６のアンテナの電力利得を決定し得る。
【０１０７】
[00114]動作６３２において、ＵＥは、電力利得が電力利得しきい値を満たすかどうかを決定する。たとえば、ＵＥは、電力利得が電力利得しきい値を満たすまたは上回るかどうかを決定し得る。電力利得が電力利得しきい値を満たさない場合、ＵＥは、ＵＥのための電力パラメータが変更される必要がないことがあると決定し得、ＵＥは、動作６０２または動作６０４など、上述の動作のうちの１つに戻り得る。図３Ｂのコンテキストでは、高利得ＵＥ３０６は、高利得ＵＥ３０６のアンテナの電力利得が電力利得しきい値を満たすかどうかを決定し得る。
【０１０８】
[00115]随意の態様では、ＵＥは、動作６０５において示されているように、オフセットを計算する。一態様では、ＵＥは、品質パラメータに基づいてオフセットを計算し得る。別の態様では、ＵＥは、第１のアンテナ（たとえば、内部アンテナ）と第２のアンテナ（たとえば、外部アンテナ）との間で切り替え得、第２のアンテナの利得の指示として経路損失を計算し得る。別の態様では、ＵＥは、ＲＳＳＩ値に基づいて、複数の事前構成されたオフセットのうちのオフセット間で切り替え得る。別の態様では、ＵＥは、最大送信電力値、アップリンクＢＬＥＲ値、またはそれら２つの値の組合せに基づいて、オフセットを計算し得る。図３Ｂのコンテキストでは、高利得ＵＥ３０６は、サービング基地局３０２に関して測定された電力パラメータのためのオフセットを計算し得る。
【０１０９】
[00116]随意の態様では、ＵＥは、動作６０６において示されているように、品質パラメータが品質しきい値を満たすかどうかを決定し得る。たとえば、ＵＥは、品質パラメータが品質しきい値を満たすまたは上回るかどうかを決定し得る。代替または追加として、ＵＥは、（動作６３０〜６３２において示されているように）電力利得が電力利得しきい値を満たすかどうかを決定し得る。図３Ｂのコンテキストでは、高利得ＵＥ３０６は、サービング基地局３０２のための測定された品質パラメータが品質しきい値を満たすかどうかを決定し得る。代替または追加として、高利得ＵＥ３０６は、高利得ＵＥ３０６の電力利得が電力利得しきい値を満たすかどうかを決定し得る。
【０１１０】
[00117]ＵＥが、品質パラメータが品質しきい値を満たさない（および／または電力利得が電力利得しきい値を満たさない）と決定した場合、方法６００は、動作６０４に戻り得、ここで、ＵＥは品質パラメータを再び決定し得る（および／または、ＵＥが内部アンテナから外部アンテナに切り替える場合など、電力利得を決定し得る）。
【０１１１】
[00118]ＵＥが、品質パラメータが品質しきい値を満たす（および／または電力利得が電力利得しきい値を満たす）と決定した場合、方法６００は、動作６０８に進み得る。動作６０８において、ＵＥは、変更された電力パラメータを形成するために電力パラメータにオフセットを適用する。ＵＥは、測定報告を決定するために、および／または電力パラメータに専用の測定報告のフィールド（たとえば、測定報告のＲＳＲＰフィールド）においてなど、測定された電力パラメータが通常使用されるであろうところで、変更された電力パラメータを使用し得る。図３Ｂのコンテキストでは、高利得ＵＥ３０６は、サービング基地局３０２のための測定された電力パラメータにオフセットを適用し得る。
【０１１２】
[00119]動作６１０において、ＵＥは、変更された電力パラメータが報告しきい値を満たすかどうかを決定し得る。たとえば、ＵＥは、変更された電力パラメータが、測定報告がそこにおいてトリガされる報告しきい値を満たすまたは上回るかどうかを決定し得る。図３Ｂのコンテキストでは、ＵＥは、変更された電力パラメータが報告しきい値を満たすかどうかを決定し得、これは、サービング基地局３０２および／またはネイバー基地局３０４への測定報告の送信をトリガし得る。
【０１１３】
[00120]一態様では、報告しきい値はイベントＡ２に関連し得、イベントＡ２は、サービング基地局のための測定された電力パラメータがしきい値よりも悪くなったとき、測定報告をトリガし得る。別の態様では、報告しきい値はイベントＢ２に関連し得、イベントＢ２は、サービング基地局のための測定された電力パラメータが第１のしきい値よりも悪くなり、しかし一方、ネイバーＲＡＴ間基地局（neighbor inter-RAT base station）のための測定された電力パラメータが第２のしきい値よりも良好になったとき、測定報告をトリガし得る。
【０１１４】
[00121]ＵＥが、変更された電力パラメータが報告しきい値を満たさないと決定した場合、方法６００は動作６０２に戻り得、ここで、ＵＥは電力パラメータを再び決定し得る。しかしながら、ＵＥが、変更された電力パラメータが報告しきい値を満たすと決定した場合、ＵＥは動作６１２に進み得る。
【０１１５】
[00122]動作６１２において、ＵＥは、変更された電力パラメータを含む測定報告を送信する。図３Ｂのコンテキストでは、高利得ＵＥ３０６は、変更された電力パラメータを含む測定報告をサービング基地局３０２および／またはネイバー基地局３０４に送信し得る。
【０１１６】
[00123]一態様では、測定報告はイベントＡ２に関連し得、イベントＡ２は、サービング基地局のための測定された電力パラメータがしきい値を下回るときなど、サービング基地局との通信の劣化に関連し得る。別の態様では、測定報告はイベントＢ２に関連し得、イベントＢ２は、サービング基地局のための測定された電力パラメータが第１のしきい値よりも悪くなり、しかし一方、ネイバーＲＡＴ間基地局のための測定された電力パラメータが第２のしきい値よりも良好になるときなど、サービング基地局との通信の劣化とネイバーＲＡＴ間基地局との改善された通信の両方に関連し得る。イベントＡ２またはイベントＢ２のいずれにおいても、ＵＥは、測定報告がいつトリガされるかを決定することと、トリガされた測定報告に含めることとの両方のために、（サービング基地局に関して測定された）変更された電力パラメータを使用し得る。
【０１１７】
[00124]図７は、例示的な装置７０２中の異なる手段／構成要素間のデータフローを示す概念データフロー図７００である。装置は、ＵＥ、より詳細には、高利得ＵＥ（たとえば、図３Ｂの高利得ＵＥ３０６）であり得る。装置７０２は、異なるモジュール／手段／構成要素間の例示的な接続および／またはデータを示す。そのような接続および／またはデータフローは、例示的なものと見なされるべきであり、したがって、異なる態様では、異なるおよび／または追加の接続および／またはデータフローが存在し得ることを理解されたい。
【０１１８】
[00125]装置７０２は受信構成要素７０４を含み得る。受信構成要素７０４は、基地局および／またはワイヤレスデバイス（たとえば、基地局７５０）から信号を受信し得る。一態様では、受信構成要素７０４は、報告するための１つまたは複数のパラメータなど、測定報告に関連する情報を、たとえば、基地局６５０から受信し得る。一態様では、報告するためのパラメータは、装置７０２が測定報告をそこにおいて送信すべき、電力パラメータおよび／または品質パラメータのうちの１つまたは複数のための情報を示す１つまたは複数のしきい値（たとえば、ｄＢ値）を含み得る。
【０１１９】
[00126]一態様によれば、報告パラメータは、装置７０２が基地局７５０（たとえば、サービング基地局）または別の基地局（たとえば、ネイバー基地局）から受信された信号に基づいて電力パラメータを測定するときにトリガされ得る、第１のイベント（たとえば、イベントＡ２）に関連し得る。別の態様では、報告パラメータは、装置７０２が基地局７５０（たとえば、サービング基地局）および別の基地局（たとえば、ネイバー基地局）から受信された信号に基づいて電力パラメータを測定するときにトリガされ得る、第２のイベント（たとえば、イベントＢ２）に関連し得る。報告パラメータは、基地局（たとえば、イベントＢ２のためのネイバー基地局）に関連するオフセット、１つまたは複数のヒステリシス値などをさらに含み得る。
【０１２０】
[00127]態様では、受信構成要素７０４はさらに、装置７０２が信号電力および／または品質に関連するパラメータをそれから測定し得る信号を受信し得る。たとえば、受信構成要素７０４は、基地局７５０（たとえば、サービング基地局）および／または別の基地局（たとえば、ネイバー基地局）から基準信号を受信し得る。
【０１２１】
[00128]装置７０２は測定構成要素７１２を含み得る。態様では、測定構成要素は、基地局７５０（たとえば、サービング基地局）および／または別の基地局（たとえば、ネイバー基地局）からの基準信号など、信号を受信構成要素７０４から受信するように構成され得る。
【０１２２】
[00129]態様によれば、測定構成要素７１２は、受信構成要素７０４から受信された信号に基づいて１つまたは複数の電力パラメータを測定するように構成され得る。たとえば、測定構成要素７１２は、ＲＳＲＰ値、ＲＳＣＰ値、ＲＳＳＩ、または基地局７５０（たとえば、サービング基地局）から受信された信号に関連する電力レベルを示す別の値を測定し得る。いくつかの態様では、測定構成要素７１２は、ＲＳＲＰ値、ＲＳＣＰ値、ＲＳＳＩ、または別の基地局（たとえば、ネイバー基地局）から受信された信号に関連する電力レベルを示す別の値を測定し得る。（１つまたは複数の）電力パラメータはｄＢ値であり得る。
【０１２３】
[00130]態様では、測定構成要素７１２は、１つまたは複数の品質パラメータをさらに測定し得る。たとえば、測定構成要素７１２は、ＲＳＲＱ値、ＢＬＥＲ値、ＳＩＮＲ値、Ｅｃ／Ｉｏ値、または基地局７５０（たとえば、サービング基地局）から受信された信号の品質を示す別の値を測定し得る。いくつかの態様では、測定構成要素７１２は、ＲＳＲＱ値、ＢＬＥＲ値、ＳＩＮＲ値、Ｅｃ／Ｉｏ値、または別の基地局（たとえば、ネイバー基地局）から受信された信号の品質を示す別の値を測定し得る。（１つまたは複数の）品質パラメータはｄＢ値であり得る。
【０１２４】
[00131]装置７０２はオフセット構成要素７１４を含み得る。様々な態様では、オフセット構成要素７１４は、測定構成要素７１２から１つまたは複数の電力パラメータおよび／または品質パラメータを受信するように構成され得る。態様によれば、オフセット構成要素７１４は、基地局７５０（たとえば、サービング基地局）のための測定された電力パラメータへのオフセットの適用に基づいて、変更された電力パラメータを形成するように構成され得る。オフセット構成要素７１４は、測定された品質パラメータに基づいて、測定された電力パラメータにオフセットを適用するように構成され得る。
【０１２５】
[00132]一態様では、オフセット構成要素７１４は、測定された品質パラメータが品質しきい値を満たすかどうかを決定し得る。たとえば、オフセット構成要素７１４は、測定された品質パラメータが品質しきい値を満たすまたは上回るかどうかを決定し得る。オフセット構成要素７１４が、品質パラメータが品質しきい値を満たすと決定した場合、オフセット構成要素７１４は、変更された電力パラメータを形成するために、測定された電力パラメータにオフセットを適用し得る。
【０１２６】
[00133]一態様によれば、オフセットは、オフセット構成要素７１４によってアクセスされ得るデータ構造で記憶された値など、所定の値であり得る。別の態様によれば、オフセット構成要素７１４はオフセットを計算し得る。たとえば、オフセット構成要素７１４は、品質パラメータに基づいてオフセットを計算し得る。別の態様では、オフセット構成要素７１４は、第１のアンテナ（たとえば、内部アンテナ）と第２のアンテナ（たとえば、外部アンテナ）との間で切り替え得、オフセットとして使用され得る第２のアンテナの利得の指示として経路損失を計算し得る。別の態様では、オフセット構成要素７１４は、ＲＳＳＩ値に基づいて、複数の事前構成されたオフセットのうちのオフセット間で切り替え得る。別の態様では、オフセット構成要素７１４は、最大送信電力値、アップリンクＢＬＥＲ値、またはそれら２つの値の組合せに基づいて、オフセットを計算し得る。
【０１２７】
[00134]装置７０２は報告構成要素７１６をさらに含み得る。報告構成要素７１６は、１つまたは複数の測定報告を生成するように構成され得る。たとえば、報告構成要素７１６は、サービングセル（たとえば、基地局７５０によって与えられるセル）、ネイバーセル（たとえば、ハンドオーバのターゲットにされるネイバー基地局によって与えられるセル）、および／またはそれらの組合せに関連する測定報告を生成するように構成され得る。態様では、報告構成要素７１６は、イベントＡ２およびイベントＢ２など（たとえば、ＬＴＥイベントＡ２、ＬＴＥイベントＢ２など）、様々なワイヤレス規格のためのイベントに関連して、測定報告を生成するように構成され得る。
【０１２８】
[00135]様々な態様によれば、報告構成要素７１６は、測定構成要素７１２から電力パラメータおよび／または品質パラメータを受信するように構成され得る。測定構成要素７１２から受信された電力パラメータおよび品質パラメータは、測定された値（たとえば、生の値、オフセットがそれに適用されていない値）であり得る。一態様では、測定構成要素７１２から受信された電力パラメータは、ＲＡＴ間ハンドオーバのターゲットにされるネイバー基地局など、ネイバー基地局に関連する電力パラメータであり得る。一態様では、測定構成要素７１２から受信された品質パラメータは、基地局７５０（たとえば、サービング基地局）および／またはネイバー基地局（たとえば、ＲＡＴ間ハンドオーバのターゲットにされるネイバー基地局）のための品質パラメータであり得る。
【０１２９】
[00136]態様では、報告構成要素７１６は、オフセット構成要素７１４から変更された電力パラメータを受信するように構成され得る。報告構成要素７１６は、測定された電力パラメータが通常使用されるであろうところで、変更された電力パラメータを使用するように構成され得る。たとえば、報告構成要素７１６は、基地局７５０（たとえば、サービング基地局）のための変更された電力パラメータを測定報告中に含め得る。さらに、報告構成要素７１６は、測定報告がいつ送信されるべきであるかを決定するために、基地局７５０（たとえば、サービング基地局）のための変更された電力パラメータを使用するように構成され得る。たとえば、報告構成要素は、基地局７５０（たとえば、サービング基地局）のための変更された電力パラメータを、報告イベント（たとえば、本明細書で説明した、イベントＡ２および／またはイベントＢ２）に関連するしきい値と比較し得る。
【０１３０】
[00137]報告構成要素７１６が、測定報告が送信されるべきであると決定したとき、報告構成要素７１６は、送信構成要素７０６に測定報告を与え得る。送信構成要素７０６は、基地局７５０（たとえば、サービング基地局）またはネイバー基地局など、基地局に信号を送信するように構成され得る。たとえば、送信構成要素７０６は、変更された電力パラメータ（および、随意に、品質パラメータおよび／または他の測定された電力パラメータ）を含む測定報告を基地局７５０に送信するように構成され得る。
【０１３１】
[00138]本装置は、図４の上述のフローチャート、図５のコールフロー、および／または図６のフローチャート中のアルゴリズムのブロックの各々を実行する追加の構成要素を含み得る。したがって、図４、図５および図６の上述のコールフロー／フローチャート中の各ブロック／動作は１つの構成要素によって実行され得、本装置は、それらの構成要素のうちの１つまたは複数を含み得る。構成要素は、述べられたプロセス／アルゴリズムを行うように特に構成されるか、述べられたプロセス／アルゴリズムを実行するように構成されたプロセッサによって実装されるか、プロセッサによる実装のためにコンピュータ可読媒体内に記憶されるか、またはそれらの何らかの組合せである、１つまたは複数のハードウェア構成要素であり得る。
【０１３２】
[00139]図８は、処理システム８１４を採用する装置７０２’のためのハードウェア実装形態の一例を示す図８００である。処理システム８１４は、バス８２４によって概略的に表されるバスアーキテクチャを用いて実装され得る。バス８２４は、処理システム８１４の特定の適用例および全体的な設計制約に応じて、任意の数の相互接続バスおよびブリッジを含み得る。バス８２４は、プロセッサ８０４によって表される１つまたは複数のプロセッサおよび／またはハードウェア構成要素と、構成要素７０４、７０６、７１２、７１４、７１６と、コンピュータ可読媒体／メモリ８０６とを含む様々な回路を互いにリンクする。バス８２４はまた、タイミングソース、周辺機器、電圧調整器、および電力管理回路など、様々な他の回路をリンクし得るが、これらの回路は当技術分野においてよく知られており、したがって、これ以上説明しない。
【０１３３】
[00140]処理システム８１４はトランシーバ８１０に結合され得る。トランシーバ８１０は１つまたは複数のアンテナ８２０に結合される。トランシーバ８１０は、伝送媒体を介して様々な他の装置と通信するための手段を与える。トランシーバ８１０は、１つまたは複数のアンテナ８２０から信号を受信し、受信された信号から情報を抽出し、抽出された情報を処理システム８１４、特に受信構成要素７０４に与える。さらに、トランシーバ８１０は、処理システム８１４、特に送信構成要素７０６から情報を受信し、受信された情報に基づいて、１つまたは複数のアンテナ８２０に適用されるべき信号を生成する。処理システム８１４は、コンピュータ可読媒体／メモリ８０６に結合されたプロセッサ８０４を含む。プロセッサ８０４は、コンピュータ可読媒体／メモリ８０６に記憶されたソフトウェアの実行を含む一般的な処理を担当する。ソフトウェアは、プロセッサ８０４によって実行されたとき、処理システム８１４に、任意の特定の装置のための上記で説明した様々な機能を実行させる。コンピュータ可読媒体／メモリ８０６はまた、ソフトウェアを実行するときにプロセッサ８０４によって操作されるデータを記憶するために使用され得る。処理システム８１４は、構成要素７０４、７０６、７１２、７１４、７１６のうちの少なくとも１つをさらに含む。それらの構成要素は、プロセッサ８０４中で動作して、コンピュータ可読媒体／メモリ８０６中に常駐する／記憶されたソフトウェア構成要素であるか、プロセッサ８０４に結合された１つまたは複数のハードウェア構成要素であるか、またはそれらの何らかの組合せであり得る。処理システム８１４は、ＵＥ２１５の構成要素であり得、メモリ２８２、および／または送信プロセッサ２６６と、受信プロセッサ２５８と、コントローラ／プロセッサ２８０とのうちの少なくとも１つを含み得る。
【０１３４】
[00141]一構成では、ワイヤレス通信のための装置８００／７０２’は、その装置によって、第１のＲＡＴを使用する通信に関連する電力パラメータを決定するための手段を含む。装置８００／７０２’は、その装置によって、第１のＲＡＴを使用する通信に関連する品質パラメータを決定するための手段をさらに含む。装置８００／７０２’は、その装置によっておよび品質パラメータに基づいて、変更された電力パラメータを形成するために電力パラメータにオフセットを適用するための手段をさらに含む。装置８００／７０２’は、その装置によって、変更された電力パラメータを含む測定報告を送信するための手段をさらに含む。
【０１３５】
[00142]一態様では、電力パラメータはＲＳＲＰを含み得る。一態様では、品質パラメータは、ＲＳＲＱまたはＢＬＥＲを含み得る。一態様では、装置８００／７０２’は、品質パラメータに基づいてオフセット決定する（たとえば、計算する）ための手段をさらに含み得る。一態様では、オフセットを適用するための手段は、電力利得が電力利得しきい値を満たすと決定することに基づいて、オフセットを適用するようにさらに構成される。一態様では、装置８００／７０２’は、電力利得を決定するための手段をさらに含み得る。一態様では、装置８００／７０２’は、電力利得が電力利得しきい値を満たすと決定するための手段をさらに含み得る。
【０１３６】
[00143]一態様では、品質パラメータに基づいて、変更された電力パラメータを形成するために電力パラメータにオフセットを適用するための手段は、品質パラメータが品質しきい値を満たすと決定することと、品質パラメータが品質しきい値を満たすとき、電力パラメータにオフセットを適用することとを行うように構成される。
【０１３７】
[00144]一態様では、電力パラメータにオフセットを適用するための手段は、第２の品質パラメータが第２の品質しきい値を満たすと決定することに基づいて、オフセットを適用するようにさらに構成される。一態様では、装置８００／７０２’は、第２の品質パラメータが第２の品質しきい値を満たすと決定するための手段をさらに含み得る。
【０１３８】
[00145]一態様では、測定報告を送信するための手段は、変更された電力パラメータが報告しきい値を満たすと決定することに基づいて、測定報告を送信するように構成され得る。一態様では、装置８００／７０２’は、変更された電力パラメータが報告しきい値を満たすと決定するための手段をさらに含み得る。
【０１３９】
[00146]一態様では、測定報告は、ネイバー基地局へのハンドオーバに関連してサービング基地局に送信される。一態様では、装置８００／７０２’は、サービング基地局から通信を受信するための手段をさらに含み得、サービング基地局は第１のＲＡＴに関連し、ネイバー基地局は第２のＲＡＴに関連する。一態様では、第１のＲＡＴは第２のＲＡＴとは異なる。
【０１４０】
[00147]上述の手段は、上述の手段によって具陳された機能を実行するように構成された、装置７０２、および／または装置７０２’の処理システム８１４の上述の構成要素のうちの１つまたは複数であり得る。上記で説明したように、処理システム８１４は、送信プロセッサ２６４と、受信プロセッサ２５８と、コントローラ／プロセッサ２８０とを含み得る。したがって、一構成では、上述の手段は、上述の手段によって具陳された機能を実行するように構成された、送信プロセッサ２６４、受信プロセッサ２５８、およびコントローラ／プロセッサ２８０であり得る。
【０１４１】
[00148]開示したプロセス／フローチャートにおけるブロックの特定の順序または階層は、例示的な手法の一例であることを理解されたい。設計選好に基づいて、プロセス／フローチャートにおけるブロックの特定の順序または階層は再配置され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【０１４２】
[00149]以上の説明は、当業者が本明細書で説明した様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願の出願当初の特許請求の範囲に記載された発明を付記する。
［Ｃ１］
ワイヤレス通信のための方法であって、前記方法が、
ユーザ機器（ＵＥ）によって、第１の無線アクセス技術（ＲＡＴ）を使用する通信に関連する電力パラメータを決定することと、
前記ＵＥによって、前記第１のＲＡＴを使用する前記通信に関連する品質パラメータを決定することと、
前記ＵＥによっておよび前記品質パラメータに基づいて、変更された電力パラメータを形成するために前記電力パラメータにオフセットを適用することと、
前記ＵＥによって、前記変更された電力パラメータを含む測定報告を送信することと
を備える、方法。
［Ｃ２］
前記電力パラメータが基準信号受信電力（ＲＳＲＰ）を備える、Ｃ１に記載の方法。
［Ｃ３］
前記品質パラメータが、基準信号受信品質（ＲＳＲＱ）またはブロックエラーレート（ＢＬＥＲ）を備える、Ｃ１に記載の方法。
［Ｃ４］
前記品質パラメータに基づいて前記オフセットを決定すること
をさらに備える、Ｃ１に記載の方法。
［Ｃ５］
前記オフセットの前記適用は、電力利得が電力利得しきい値を満たすと決定することにさらに基づき、前記方法は、
前記ＵＥによって、前記電力利得を決定することと、
前記ＵＥによって、前記電力利得が前記電力利得しきい値を満たすと決定することと
をさらに備える、Ｃ１に記載の方法。
［Ｃ６］
前記品質パラメータに基づいて、変更された電力パラメータを形成するために前記電力パラメータに前記オフセットを前記適用することは、
前記品質パラメータが品質しきい値を満たすと決定することと、
前記品質パラメータが前記品質しきい値を満たすとき、前記電力パラメータに前記オフセットを適用することと
を備える、Ｃ１に記載の方法。
［Ｃ７］
前記電力パラメータに前記オフセットを前記適用することは、第２の品質パラメータが第２の品質しきい値を満たすと決定することにさらに基づき、前記方法は、
前記第２の品質パラメータが前記第２の品質しきい値を満たすと決定すること
をさらに備える、Ｃ６に記載の方法。
［Ｃ８］
前記測定報告を前記送信することは、前記変更された電力パラメータが報告しきい値を満たすと決定することに基づき、前記方法は、
前記変更された電力パラメータが前記報告しきい値を満たすと決定すること
をさらに備える、Ｃ１に記載の方法。
［Ｃ９］
前記測定報告が、ネイバー基地局へのハンドオーバに関連してサービング基地局に送信され、前記方法は、
前記サービング基地局から前記通信を受信すること、前記サービング基地局が第１の無線アクセス技術（ＲＡＴ）に関連し、前記ネイバー基地局が第２のＲＡＴに関連する、
をさらに備える、Ｃ１に記載の方法。
［Ｃ１０］
前記第１のＲＡＴが前記第２のＲＡＴとは異なる、Ｃ９に記載の方法。
［Ｃ１１］
ワイヤレス通信のための装置であって、
前記装置によって、第１の無線アクセス技術（ＲＡＴ）を使用する通信に関連する電力パラメータを決定するための手段と、
前記装置によって、前記第１のＲＡＴを使用する前記通信に関連する品質パラメータを決定するための手段と、
前記装置によっておよび前記品質パラメータに基づいて、変更された電力パラメータを形成するために前記電力パラメータにオフセットを適用するための手段と、
前記装置によって、前記変更された電力パラメータを含む測定報告を送信するための手段と
を備える、装置。
［Ｃ１２］
前記電力パラメータが基準信号受信電力（ＲＳＲＰ）を備える、Ｃ１１に記載の装置。
［Ｃ１３］
前記品質パラメータが、基準信号受信品質（ＲＳＲＱ）またはブロックエラーレート（ＢＬＥＲ）を備える、Ｃ１１に記載の装置。
［Ｃ１４］
前記品質パラメータに基づいて前記オフセットを決定するための手段
をさらに備える、Ｃ１１に記載の装置。
［Ｃ１５］
前記オフセットを適用するための前記手段は、電力利得が電力利得しきい値を満たすと決定することに基づいて、前記オフセットを適用するようにさらに構成され、前記装置は、
前記電力利得を決定するための手段と、
前記電力利得が前記電力利得しきい値を満たすと決定するための手段と
をさらに備える、Ｃ１１に記載の装置。
［Ｃ１６］
前記品質パラメータに基づいて、変更された電力パラメータを形成するために前記電力パラメータに前記オフセットを適用するための前記手段は、
前記品質パラメータが品質しきい値を満たすと決定することと、
前記品質パラメータが前記品質しきい値を満たすとき、前記電力パラメータに前記オフセットを適用することと
を行うように構成された、Ｃ１１に記載の装置。
［Ｃ１７］
前記電力パラメータに前記オフセットを適用するための前記手段は、第２の品質パラメータが第２の品質しきい値を満たすと決定することに基づいて、前記オフセットを適用するようにさらに構成され、前記装置は、
前記第２の品質パラメータが前記第２の品質しきい値を満たすと決定するための手段
をさらに備える、Ｃ１６に記載の装置。
［Ｃ１８］
前記測定報告を送信するための前記手段は、前記変更された電力パラメータが報告しきい値を満たすと決定することに基づいて、前記測定報告を送信するように構成され、前記装置は、
前記変更された電力パラメータが前記報告しきい値を満たすと決定するための手段
をさらに備える、Ｃ１１に記載の装置。
［Ｃ１９］
前記測定報告が、ネイバー基地局へのハンドオーバに関連してサービング基地局に送信され、前記装置は、
前記サービング基地局から前記通信を受信するための手段、前記サービング基地局が第１の無線アクセス技術（ＲＡＴ）に関連し、前記ネイバー基地局が第２のＲＡＴに関連する、
をさらに備える、Ｃ１１に記載の装置。
［Ｃ２０］
前記第１のＲＡＴが前記第２のＲＡＴとは異なる、Ｃ１９に記載の装置。
［Ｃ２１］
ワイヤレス通信のための装置であって、
メモリと、
前記メモリに結合された少なくとも１つのプロセッサと
を備え、前記少なくとも１つのプロセッサが、
第１の無線アクセス技術（ＲＡＴ）を使用する通信に関連する電力パラメータを決定することと、
前記第１のＲＡＴを使用する前記通信に関連する品質パラメータを決定することと、
前記品質パラメータに基づいて、変更された電力パラメータを形成するために前記電力パラメータにオフセットを適用することと、
前記変更された電力パラメータを含む測定報告を送信することと
行うように構成された、
装置。
［Ｃ２２］
前記電力パラメータが基準信号受信電力（ＲＳＲＰ）を備える、Ｃ２１に記載の装置。
［Ｃ２３］
前記品質パラメータが、基準信号受信品質（ＲＳＲＱ）またはブロックエラーレート（ＢＬＥＲ）を備える、Ｃ２１に記載の装置。
［Ｃ２４］
前記少なくとも１つのプロセッサが、前記品質パラメータに基づいて前記オフセットを決定するようにさらに構成された、Ｃ２１に記載の装置。
［Ｃ２５］
前記少なくとも１つのプロセッサは、電力利得が電力利得しきい値を満たすという決定にさらに基づいて、前記オフセットを適用するように構成され、前記少なくとも１つのプロセッサは、
前記電力利得を決定することと、
前記電力利得が前記電力利得しきい値を満たすと決定することと
を行うようにさらに構成された、Ｃ２１に記載の装置。
［Ｃ２６］
前記少なくとも１つのプロセッサは、
前記品質パラメータが品質しきい値を満たすと決定することと、
前記品質パラメータが前記品質しきい値を満たすとき、前記電力パラメータに前記オフセットを適用することと
によって、前記品質パラメータに基づいて、変更された電力パラメータを形成するために前記オフセットを前記電力パラメータに適用するように構成された、Ｃ２１に記載の装置。
［Ｃ２７］
前記少なくとも１つのプロセッサは、第２の品質パラメータが第２の品質しきい値を満たすという決定にさらに基づいて、前記電力パラメータに前記オフセットを適用するように構成され、前記少なくとも１つのプロセッサは、前記第２の品質パラメータが前記第２の品質しきい値を満たすと決定するようにさらに構成された、Ｃ２６に記載の装置。
［Ｃ２８］
前記少なくとも１つのプロセッサは、前記変更された電力パラメータが報告しきい値を満たすという決定に基づいて、前記測定報告を送信するように構成され、前記少なくとも１つのプロセッサは、前記変更された電力パラメータが前記報告しきい値を満たすと決定するようにさらに構成された、Ｃ２１に記載の装置。
［Ｃ２９］
前記測定報告が、ネイバー基地局へのハンドオーバに関連してサービング基地局に送信され、前記少なくとも１つのプロセッサは、前記サービング基地局から前記通信を受信するようにさらに構成され、ここにおいて、前記サービング基地局が第１の無線アクセス技術（ＲＡＴ）に関連し、前記ネイバー基地局が第２のＲＡＴに関連する、Ｃ２１に記載の装置。
［Ｃ３０］
ワイヤレス通信のためのコンピュータ実行可能コードを記憶するコンピュータ可読媒体であって、
ユーザ機器（ＵＥ）によって、第１の無線アクセス技術（ＲＡＴ）を使用する通信に関連する電力パラメータを決定することと、
前記ＵＥによって、前記第１のＲＡＴを使用する前記通信に関連する品質パラメータを決定することと、
前記ＵＥによっておよび前記品質パラメータに基づいて、変更された電力パラメータを形成するために前記電力パラメータにオフセットを適用することと、
前記ＵＥによって、前記変更された電力パラメータを含む測定報告を送信することと
を行うためのコードを備える、コンピュータ可読媒体。
【図１】
0006490813.tif 000002
【図２】
0006490813.tif 000003
【図３Ａ】
0006490813.tif 000004
【図３Ｂ】
0006490813.tif 000005
【図４】
0006490813.tif 000006
【図５】
0006490813.tif 000007
【図６】
0006490813.tif 000008
【図７】
0006490813.tif 000009
【図８】
0006490813.tif 000010